(57)【要約】  第１（４３）、第２（４４）、及び第３（４５）のゾーンを含む、少なくとも第１のベルト（４０）を有する吸収性物品（２０）。少なくとも第１のベルト（４０）は、低運動ゾーンの外側で着用者の運動に容易に適合することが可能でありながら、着用者の低運動ゾーンに改善されたフィット性を提供する。
2020519349.tif 000002
【特許請求の範囲】
【請求項１】
長手方向及び横断方向寸法を含む吸収性物品（２０）であって、前記吸収性物品（２０）が、前側腰部縁部（３１）を有する前側腰部領域（３６）及び後側腰部縁部（３２）を有する後側腰部領域（３８）と、前記前側腰部領域（３６）と後側腰部領域（３８）との間に延在する股部領域（３７）と、を備え、前記吸収性物品（２０）が、中央シャーシ（２２）及び第１のベルト（４０）を備え、
前記中央シャーシ（２２）が、第１の横断方向縁部（１４）と、第２の横断方向縁部（１５）と、第１の長手方向側縁部（１２）及び第２の長手方向側縁部（１３）と、液体透過性トップシート（２４）と、液体不透過性バックシート（２６）と、前記トップシート（２４）と前記バックシート（２６）との間に配設された吸収性コアと、を備え、
前記第１のベルト（４０）が、前記後側腰部領域（３８）に設けられ、前記第１のベルト（４０）の内面に配設された第１のベルト層（４１）と、前記第１のベルト（４０）の外面に配設された第２のベルト層（４２）と、前記第１のベルト層（４１）と前記第２のベルト層（４２）との間に配設された、実質的に横断方向に沿って延在する弾性スタンド（２００）と、を備え、
前記第１のベルト（４０）が、第１のゾーン（４３）、第２のゾーン（４４）、及び第３のゾーン（４５）を含み、前記第１のゾーン（４３）が、前記後側腰部縁部（３２）に隣接して設けられ、前記後側腰部縁部（３２）を含み、前記第２のゾーン（４４）が、前記吸収性物品（２０）の横断方向に前記第１のゾーンと前記第３のゾーンとの間に設けられ、
前記第１のゾーン（４３）の前記弾性ストランド（２００）が、第１の複数の弾性スタンド（４６）を含み、前記第１の複数の弾性スタンド（４６）は、第１の複数の弾性ストランド（４６）の横断方向に対向する端部において又は当該端部の近傍において、前記第１のベルト層（４１）及び前記第２のベルト層（４２）のうちの一方又は両方に取り付けられており、
前記第１のベルト層（４１）及び第２のベルト層（４２）が、前記第１のゾーン（４３）内の前記第１の複数の弾性ストランド（４６）の弾性ストランドの対の間で互いに接合され、
前記第２のゾーン（４４）の前記弾性ストランド（２００）が、第２の複数の弾性ストランド（４８）を含み、前記第２の複数の弾性ストランド（４８）は、前記弾性ストランドの実質的に全長に沿って、前記第１のベルト層（４１）及び第２のベルト（４２）層のうちの一方又は両方に取り付けられており、
前記第３のゾーン（４５）の前記弾性ストランド（２００）が、第３の複数の弾性ストランド（４９）を含み、前記第３の複数の弾性ストランド（４９）は、前記第３の複数の弾性ストランド（４９）の横断方向に対向する端部において又は当該端部の近傍において、前記第１のベルト層（４１）及び前記第２のベルト層（４２）のうちの一方又は両方に取り付けられおり、
前記第１のベルト層（４１）及び第２のベルト層（４２）が、前記第３のゾーン（４５）内の前記第３の複数の弾性ストランド（４９）の弾性ストランドの対の間で互いに接合されている、吸収性物品（２０）。
【請求項２】
第２のベルト（６０）を更に備え、前記第２のベルト（６０）が、前記前側腰部領域（３６）に設けられ、
前記第２のベルト（６０）が、前記第２のベルト（６０）の内面に配設された第３のベルト層（６１）と、前記第２のベルト（６０）の外面に配設された第４のベルト層（６２）と、前記第３のベルト層（６１）と前記第４のベルト層（６２）との間に配設された、実質的に横断方向に沿って延在する弾性スタンド（２００）と、を備え、
前記第２のベルト（６０）が、第４のゾーン（６３）、第５のゾーン（６４）、及び第６のゾーン（６５）を含み、前記第４のゾーン（６３）が、前記前側腰部縁部（３１）に隣接して設けられ且つ前記前側腰部縁部（３１）を含み、前記第５のゾーン（６４）が、前記吸収性物品（２０）の横断方向に前記第４のゾーンと前記第６のゾーンとの間に設けられ、
前記第４のゾーン（６３）の前記弾性ストランド（２００）が、第４の複数の弾性スタンド（６６）を含み、前記第４の複数の弾性スタンド（６６）は、前記第４の複数の弾性ストランド（６６）の横断方向に対向する端部において又は当該端部の近傍において、前記第３のベルト層（６１）及び前記第４のベルト層（６２）のうちの一方又は両方に取り付けられており、
前記第３のベルト層（６１）及び第４のベルト層（６２）が、前記第４のゾーン（６３）内の前記第４の複数の弾性ストランド（６６）の弾性ストランドの対の間で互いに接合され、
前記第５のゾーン（６４）の前記弾性ストランド（２００）が、第５の複数の弾性ストランド（６８）を含み、前記第５の複数の弾性ストランド（６８）は、前記弾性ストランドの実質的に全長に沿って、前記第３のベルト層（６１）及び前記第４のベルト層（６２）のうちの一方又は両方に取り付けられており、
前記第６のゾーン（６５）の前記弾性ストランド（２００）が、第６の複数の弾性ストランド（６９）を含み、前記第６の複数の弾性ストランド（６９）は、前記弾性ストランドの横断方向に対向する端部において又は当該端部の近傍において、前記第３のベルト層（６１）及び前記第４のベルト層（６２）のうちの一方又は両方に取り付けられており、
前記第３のベルト層（６１）及び前記第４のベルト層（６２）が、前記第６のゾーン（６５）内の前記第６の複数の弾性ストランド（６９）の弾性ストランドの対の間で互いに接合されている、請求項１に記載の吸収性物品（２０）。
【請求項３】
前記吸収性物品（２０）が、パンツであり、前記第１のベルト（４０）が、第１及び第２の長手方向ベルト側縁部（５５、５６）を含み、前記第２のベルト（６０）が、第３及び第４の長手方向ベルト側縁部（８６、８７）を含み、前記第１のベルト（４０）の前記第１の長手方向ベルト側縁部（５５）が、前記第２のベルト（６０）の前記第３の長手方向ベルト側縁部（８６）に接合されて、第１のサイドシーム（５７）を形成し、前記第１のベルト（４０）の前記第２の長手方向ベルト側縁部（５６）が、前記第２のベルト（６０）の前記第４の長手方向ベルト側縁部（８７）に接合されて、第２のサイドシーム（５８）を形成している、請求項２に記載の吸収性物品（２０）。
【請求項４】
前記第１及び第２のベルト（４０、６０）が、前記前側及び後側腰部縁部（３１、３２）が互いに一致するような重なり合い構成で置かれるとき、前記第２のゾーン（４４）及び前記第５のゾーン（６４）が部分的に重なり合う、請求項２又は３に記載の吸収性物品（２０）。
【請求項５】
前記第２のゾーン（４４）が、前記吸収性物品（２０）の前記後側腰部縁部（３２）から長手方向にオフセットされた第１の距離Ｌ１に配設され、前記第５のゾーン（５４）が、前記吸収性物品（２０）の前記前側腰部縁部（３１）から長手方向にオフセットされた第２の距離Ｌ２に配設され、前記第１の距離（Ｌ１）は、前記第２の距離（Ｌ２）未満である、請求項２〜４のいずれか一項に記載の吸収性物品（２０）。
【請求項６】
前記第３のゾーン（４５）が、前記吸収性物品（２０）の前記後側腰部縁部（３２）から長手方向にオフセットされた第３の距離（Ｌ３）に配設され、前記第６のゾーン（６５）が、前記吸収性物品（２０）の前記前側腰部縁部（３１）から長手方向にオフセットされた第４の距離（Ｌ４）に配設され、前記第３の距離（Ｌ３）は、前記第４の距離（Ｌ４）未満である、請求項５に記載の吸収性物品（２０）。
【請求項７】
前記第１のベルト（４０）が、前記第１の長手方向ベルト側縁部（５５）に隣接した第１の横断方向ベルト端部領域（７５）と、前記第２の長手方向ベルト側縁部（５６）に隣接した第２の横断方向ベルト端部領域（７６）と、前記第１の横断方向ベルト端部領域と第２の横断方向ベルト端部領域との間の第１の中央ベルト領域（７７）と、を有し、前記第３の複数の弾性ストランド（４９）の前記弾性ストランド、及び前記第２の複数の弾性ストランド（４８）の少なくとも一部が断絶されて、前記第１の横断方向ベルト端部領域（７５）内に配設された第１のセグメント（７９）と、前記第２の横断方向ベルト端部領域（７６）内に配設された第２のセグメント（８０）とを有する不連続弾性ストランドを形成し、前記第１の中央ベルト領域（７７）は、前記第３の複数の弾性ストランド（４９）からの前記断絶された弾性ストランドを含まず、前記第２の複数の弾性ストランド（４８）の前記断絶された弾性ストランドを含まない、請求項１〜６のいずれか一項に記載の吸収性物品（２０）。
【請求項８】
前記第２のベルト（６０）が、前記第３の長手方向ベルト側縁部（８６）に隣接した第３の横断方向ベルト端部領域（８１）と、前記第４の長手方向ベルト側縁部（８７）に隣接した第４の横断方向ベルト端部領域（８２）と、前記第３の横断方向ベルト端部領域と第４の横断方向ベルト端部領域との間の第２の中央ベルト領域（８３）と、を有し、前記第６の複数の弾性ストランド（６９）の前記弾性ストランド、及び前記第５の複数の弾性ストランド（６８）の少なくとも一部が断絶されて、前記第３の横断方向ベルト端部領域（８１）内に配設された第３のセグメント（８４）と、前記第４の横断ベルト端部領域（８２）内に配設された第４のセグメント（８５）とを形成し、前記第２の中央ベルト領域（８３）が、前記第６の複数の弾性ストランド（６８）からの前記断絶された弾性ストランドを含まず、前記第５の複数の弾性ストランド（６９）の前記断絶された弾性ストランドを含まない、請求項２〜６に記載の吸収性物品（２０）。
【請求項９】
前記第１のゾーン（４３）が、第１の横断方向ピーク伸長力を有し、前記第２のゾーン（４４）が、第２の横断方向ピーク伸長力を有し、前記第３のゾーン（４５）が、第３の横断方向ピーク伸長力を有し、前記第２のゾーン（４４）の前記横断方向ピーク伸長力が、前記第１及び第３のゾーン（４３、４５）の前記横断方向ピーク伸長力より少なくとも２５％高く、前記第２のゾーン（４４）における前記横断方向の収縮レベルが、前記第１及び第３のゾーン（４３、４５）における収縮レベルとは２５０％を超えては異ならない、請求項１〜８のいずれか一項に記載の吸収性物品（２０）。
【請求項１０】
前記第４のゾーン（６３）が、第４の横断方向ピーク伸長力を有し、前記第５のゾーン（６４）が、第５の横断方向ピーク伸長力を有し、前記第６のゾーン（６５）が、第６の横断方向ピーク伸長力を有し、前記第５のゾーン（６４）の前記横断方向ピーク伸長力が、前記第４及び第６のゾーン（６３、６５）の前記横断方向ピーク伸長力より少なくとも２５％高く、前記第５のゾーンにおける前記横断方向の収縮レベルが、前記第４及び第６のゾーンにおける収縮レベルとは２５０％を超えては異ならない、請求項９に記載の吸収性物品。
【請求項１１】
前記中央シャーシ（２２）の前記第１の横断方向端縁部（１４）が、前記吸収性物品（２０）の前記後側腰部縁部（３２）と一致しかつ／又は前記中央シャーシ（２２）の前記第２の横断方向端縁部（１５）が、前記吸収性物品（２０）の前記第１の腰部縁部（３１）と一致する、請求項１〜１０のいずれか一項に記載の吸収性物品（２０）。
【請求項１２】
前記第１のベルト（４０）において、前記第１のベルト層（４１）及び第２のベルト層（４２）が、前記第１及び第３のゾーン（４３、４５）における前記第１及び第３の複数の弾性ストランド（４６、４９）の弾性ストランドの対の間で互いに接着剤接合されており、前記任意の第２のベルト（６０）において、前記第３のベルト層（６１）及び前記第４のベルト層（６２）が、前記第４及び第６のゾーン（６３、６５）における前記第４及び第６の複数の弾性ストランド（６６、６９）の弾性ストランドの対の間で互いに接着剤接合されている、請求項１〜１１のいずれか一項に記載の吸収性物品（２０）。
【請求項１３】
前記第１のベルト及び／又は前記任意の第２のベルトの前記弾性ストランドのうちの一部が、１つ以上の高密度アレイ（９５）として１つ以上の組で配置され、各高密度アレイ（９５）が、２〜４つの弾性ストランドからなり、前記高密度アレイ（９５）の前記弾性ストランドが、２〜４ｍｍの間隙（９０）によって互いに長手方向に離間されており、前記高密度アレイ（９５）の外側の前記第１及び／又は前記任意の第２のベルトの前記弾性ストランドが、５〜１０ｍｍの間隙（９０）によって、前記高密度アレイ（９５）から及び互いから長手方向に離間されている、請求項１〜１２のいずれか一項に記載の吸収性物品（２０）。
【請求項１４】
前記第２の複数の弾性ストランド（４８）の前記弾性ストランドが、接着剤によって、前記弾性ストランドの全長に沿って前記第１及び第２のベルト層（４１、４２）のうちの一方又は両方に連続的に取り付けられており、前記任意の第５の複数の弾性ストランド（６８）の前記弾性ストランドが、接着剤によって、前記弾性ストランドの全長に沿って前記第３及び第４のベルト層（６１、６２）のうちの一方又は両方に連続的に接着されている、請求項１〜１３のいずれか一項に記載の吸収性物品（２０）。
【請求項１５】
前記第２の複数の弾性ストランド（４８）の前記弾性ストランドが、前記弾性ストランドのひずみ、隣り合う弾性ストランド間の距離、前記複数の弾性ストランドを形成する弾性ストランドの数、及び前記弾性ストランドのデニールからなる群から選択される１つ以上の特性において、前記第１及び／又は第３の複数の弾性体（４６、４９）の前記弾性ストランドとは異なる、請求項１〜１４のいずれか一項に記載の吸収性物品（２０）。
【発明の詳細な説明】
【技術分野】
【０００１】
本発明は、着用者の周囲に持続的に動的フィット性を提供する吸収性物品に関する。吸収性物品は、少なくとも第１のベルトを備える。第１のベルトは、横断方向に沿って延在し、第１のベルト層と第２のベルト層との間に配設された弾性ストランドを含む。弾性ストランドは、第１のベルトの第１、第２、及び第３のゾーンに配設された第１、第２、及び第３の複数の弾性ストランドとして提供される。
【背景技術】
【０００２】
乳幼児、及び他の失禁症の個人は、尿及び他の身体排出物を吸収及び収容する吸収性物品を着用する。吸収性物品は、排泄された物質を収容することと、これらの物質を着用者の身体から、並びに着用者の衣類及び寝具から隔離することの双方の機能を果たす。
【０００３】
しかしながら、吸収性物品は、使用中に着用者の身体から垂れ下がりや間隙ができ、横滑り／滑り落ちる傾向を有する。この垂れ下がり／間隙ができること及び横滑り／滑りは、着用者が呼吸し、動作し、位置を変えるときの運動に対応することによって、吸収性物品が身体排出物で負荷がかかると生じる下向きの力によって、及びそのような着用者の運動を受けたときの吸収性物品自体の材料の変形によって引き起こされる。吸収性物品のこの垂れ下がり／間隙ができること及び横滑り／滑りは、着用者の周囲の吸収性物品の早期漏れ及び不十分なフィット性をもたらし得る。
【０００４】
従来の吸収性物品は、典型的には、使用中に動的運動（及びしたがって動的な力）を受ける着用者のゾーンに物品がフィットするように、着用者の腹部の高い位置及び大腿部下方にフィットするように設計されている。特に腹部の膨張及び収縮によるこれらの動的運動及び力は、物品を構成する材料を変形させる傾向があり、物品を身体から離れるように押す傾向がある。したがって、物品は、身体から離れて垂れ下がり／間隙ができる傾向がある。従来技術の物品の固定システムはまた、典型的には、着用者の周囲に画定された寸法の腰部及び脚部開口部、並びに水平な張力線（線に沿って引張力を付与する）を形成して、着用者のおむつを固定するように設計されている。しかしながら、従来技術の物品によって作り出される水平な張力線は、着用者の腹部の寸法が変化すると、おむつが着用者上で横滑りする／滑り落ちる傾向があるように、着用者の動作によって引き起こされる身体寸法の変化に適応することができない。先行技術の物品は、より小さい寸法の区域でベルトの下に設定されている腹部から横滑り／滑り落ちることにより、腰部及び脚部での間隙ができることをもたらす。更に、このような動的力を受ける腹部又は脚部のゾーン内に配設された先行技術の物品の吸収性コア及び他の硬い非弾性要素は、動的力によって下方又は内側に押され、結果として着用者上の製品の更なる間隙／横滑りが生じる。
【０００５】
吸収性物品は、通常テープ型物品、及びパンツ型物品、並びにインサートで入手可能である。一般的に、テープ型物品は、予め閉じられずに包装されているのに対し、パンツ型物品は、予め閉じられている。パンツ型物品は、多くの場合、トイレトレーニングに使用されるが、必ずしもそうとは限らない。一般に、パンツは、物品を着用者に固定するために、脚部開口部の真上及び腰部により高い力を有する傾向がある。しかしながら、これらの区域は、着用者が動くと、着用者の解剖学的構造が多く動くゾーンである。したがって、これらの「高運動ゾーン」における比較的高い力は、皮膚が赤くなること及び動作の自由度の制限をもたらす傾向がある。
【発明の概要】
【発明が解決しようとする課題】
【０００６】
したがって、より良好なフィット性、漏れの低減、及び着用者の快適性を提供する吸収性物品を提供することが有利であろう。使用中の垂れ下がり及び間隙が低減し、かつ着用者上での吸収性物品の全体的な横滑り／滑りが低減した吸収性物品を提供することが更に有利であろう。
【課題を解決するための手段】
【０００７】
本発明は、長手方向及び横断方向寸法を備える吸収性物品に関する。吸収性物品は、前側腰部縁部を有する前側腰部領域、及び後側腰部縁部を有する後側腰部領域、並びに前側腰部領域と後側腰部領域との間に延在する股部領域を含む。吸収性物品は、中央シャーシ及び第１のベルトを備える。
【０００８】
中央シャーシは、第１の横断方向縁部と、第２の横断方向縁部と、第１の長手方向側縁部及び第２の長手方向側縁部と、液体透過性トップシートと、液体不透過性バックシートと、トップシートとバックシートとの間に配設された吸収性コアと、を含む。
【０００９】
第１のベルトは、第１のベルトの内面に配設された第１のベルト層、第１のベルトの外面に配設された第２のベルト層、及び第１のベルト層と第２のベルト層との間に配設された、実質的に横断方向に沿って延在する弾性スタンドを含む。
【００１０】
第１のベルトは、第１のゾーン、第２のゾーン、及び第３のゾーンを含む。第１のゾーンは、後側腰部縁部に隣接して設けられ、第２のゾーンは、吸収性物品の横断方向に第１のゾーンと第３のゾーンとの間に設けられる。
【００１１】
第１のゾーンの弾性ストランドは、第１の複数の弾性スタンドを含み、これらの第１の複数の弾性スタンドは、第１の複数の弾性ストランドの弾性体の横断方向に対向する端部において又はこれの近傍において、第１のベルト層及び第２のベルト層のうちの一方又は両方に取り付けられている。第１の複数の弾性ストランドの弾性ストランドは、弾性ストランドの実質的に全長に沿って、第１のベルト層及び第２のベルト層のうちの一方又は両方に取り付けられていない。
【００１２】
第１のベルト層及び第２のベルト層は、第１のゾーン内の第１の複数の弾性ストランドの弾性ストランドの対の間で互いに接合される。
【００１３】
第２のゾーンの弾性ストランドは、第２の複数の弾性ストランドを含み、これらの第２の複数の弾性ストランドは、弾性ストランドの実質的に全長に沿って、第１のベルト層及び第２のベルト層のうちの一方又は両方に取り付けられている。
【００１４】
第３のゾーンの弾性ストランドは、第３の複数の弾性ストランドを含み、第３の複数の弾性ストランドは、第３の複数の弾性ストランドの横断方向に対向する端部において又はこの端部の近傍において、第１のベルト層及び第２のベルト層のうちの一方又は両方に取り付けられている。第３の複数の弾性ストランドの弾性ストランドは、弾性ストランドの実質的に全長に沿って、第１のベルト層及び第２のベルト層のうちの一方又は両方に取り付けられていない。
【００１５】
第１のベルト層及び第２のベルト層は、第３のゾーン内の第３の複数の弾性ストランドの弾性ストランドの対の間で互いに接合される。
【００１６】
吸収性物品の第１のベルトは、切断される弾性ストランドを含んでもよく、実質的に第１のベルト内の完全な横断方向寸法にわたって延在する断絶されていない弾性ストランドの数は、断絶された弾性ストランドの数より多くてもよい。
【００１７】
吸収性物品は、第２のベルトを更に備えてもよい。吸収性物品の第２のベルトは、切断される弾性ストランドを含んでもよく、実質的に第２のベルトの完全な横断方向寸法にわたって延在する断絶されていない弾性ストランドの数は、断絶された弾性ストランドの数より少なくてもよい。
【００１８】
第１及び任意の第２のベルト内の複数の弾性ストランドの全ての隣り合う弾性ストランドが、２〜１５ｍｍの間隙によって吸収性物品の長手方向に互いに離間していてもよい、先行請求項のいずれか一項に記載の吸収性物品。
【００１９】
第１及び第２のベルト層、並びに任意の第３及び第４のベルト層は、開口を含んでもよい。
【図面の簡単な説明】
【００２０】
【図１】着用者の周囲に配設される恒久的なサイドシームを有する本発明の例示的な吸収性物品の斜視図である。
【図２】平らに広げた、本発明の例示的な吸収性物品の平面図である。
【図３】サイドシーム式によって互いに取り付けられている第１及び第２のベルトの対の拡大図である。
【図４】平らに広げた、本発明の別の例示的な吸収性物品の平面図である。
【図５】平らに広げた、本発明の更に別の例示的な吸収性物品の平面図である。
【図６】サイドシーム式によって互いに取り付けられている第１及び第２のベルトの一部の拡大図である。
【図７】平らに広げた、第１のベルトのみを有する別の例示的な吸収性物品の平面図である。
【図８】着用者の周囲に配設される、締着された配置における図６に示される吸収性物品の斜視図である。
【図９Ａ】ある特定の解剖学的特色及び低運動ゾーンの位置を示す、着用者の身体の前側冠状面図である。
【図９Ｂ】ある特定の解剖学的特色及び低運動ゾーンの位置を示す、着用者の身体の後方冠状面図である。
【図９Ｃ】本発明の吸収性物品によって作り出すことができる一次張力線の角度を示す、着用者の身体の側面図である。
【図１０】本開示の複数の吸収性物品（テープ型又はパンツ型）の例示的なパッケージを示す。
【図１１】「物品全体力測定法（Whole Article Force Measurement）」に従ったハンガー型の試料保持固定具の一例の概略図である。
【発明を実施するための形態】
【００２１】
本明細書で使用するとき、以下の用語は後に指定される意味を有するものとする。
【００２２】
本明細書で使用するとき、「吸収性物品」は、身体排出物を吸収して封じ込める装置を指し、より具体的には、身体から排出された様々な排出物を吸収して封じ込めるために、着用者の身体に対して又は近位に配置された装置を指す。吸収性物品としては、おむつ（乳児用おむつ及び成人用失禁用おむつ）、パンツ（乳児用又は成人用）、吸収性インサート（おむつ又はパンツを形成するために外側カバーに挿入されることを意図するもの）、生理用ナプキン又はパンティライナーなどの女性用ケア吸収性物品などを挙げることができる。本明細書で使用するとき、用語「滲出物」は、限定するものではないが、尿、血液、膣排泄物、汗及び糞便を含む。本発明の好ましい吸収性物品は使い捨て吸収性物品であり、より好ましくは、使い捨ておむつ及び使い捨てパンツである。
【００２３】
本明細書で使用するとき、「使い捨て」は、通常の意味では、様々な期間にわたって限定された使用回数、例えば、２０回未満の使用、１０回未満の使用、５回未満の使用、又は２回未満の使用の後に、使い捨て又は廃棄される物品を意味するのに使用される。使い捨て吸収性物品が、個人衛生用途のためのおむつ、パンツ、生理用ナプキン、生理用パッド又はウェットティッシュである場合には、使い捨て吸収性物品はほとんどの場合、ただ１回の使用後に処分されることを意図されている。
【００２４】
本明細書で使用するとき、「非伸展性」は、以下の試験を受けた場合に、力の印加時に、その元の長さが３０％未満上回って伸びる材料を指す。幅２．５４ｃｍ及び長さ２５．４ｃｍを有する長方形の材料片を、全幅に沿って、部片をその幅２．５４ｃｍの上縁部に沿って保持することによって、垂直位置に維持する。材料の全幅に沿って対向する下縁部に１分間、１０Ｎの力を印加する（２５℃及び５０％の相対湿度で、試料を、これらの温度及び湿度条件で試験２時間前から、事前調整しておかなければならない）。１分経過後すぐに、力をまだ印加している間に部片の長さを測定し、１分後に測定された長さから初期の長さ（２５．４ｃｍ）を減算することによって、伸度を算出する。
【００２５】
上述の試験を受けた場合に、材料がその元の長さを３０％超上回って伸びる場合、材料は、本明細書で使用する「伸展性」である。
【００２６】
本明細書で使用するとき、「高非伸展性」は、「非伸展性」材料についての上述の試験を受けた場合に、力を印加すると、その元の長さを１５％未満上回って伸びる材料を指す。
【００２７】
「非弾性」は、本明細書で使用するとき、以上において提示された「非伸展性」に関する試験の直後に実施されることになる以下の試験を受けた場合に、２０％超、回復しない材料を指す。
【００２８】
１０Ｎの力をまだ加えている間に長方形の材料片の長さを測定した直後に、力を除去し、部片を、回復することができるように、（２５℃及び５０％の相対湿度で）５分間、台上で横倒しに寝かせる。５分経過後すぐに、部片の長さを再び測定し、５分後の長さから初期の長さ（２５．４ｃｍ）を減算することによって、伸度を算出する。
【００２９】
力を加えたときの１分後の（「非伸展性」に関して測定した）伸長を、部片を５分間、台上で横倒しに寝かせた後の伸長と比較する。伸長が２０％超回復しない場合には、材料は、本明細書で使用するとおりの「非弾性」と見なされる。
【００３０】
材料が２０％超、回復する場合には、材料は、本明細書で使用するとおりの「弾性」と見なされる。
【００３１】
「高非弾性」は、本明細書で使用するとき、「非伸展性」である材料、又は以上において「非弾性」について提示された試験を受けた場合に１０％超、回復しない材料のどちらかを指す。
【００３２】
本発明の第１、第２、第３、又は第４のベルト層として使用する場合、伸展性、非伸展性、高非伸展性、弾性、非弾性、及び高非弾性は、材料が構造体内に組み込まれた後で、吸収性物品の横断方向中心線と平行になる材料の寸法に関連する。したがって、上述の試験を実施するための２５．４ｃｍの試料の長さは、ベルト層が吸収性物品に組み込まれると、第１、第２、第３、及び第４のベルト層の横断方向に対応する。
【００３３】
本明細書で使用するとき、用語「備える／含む（comprises）」は、他の特色、構成要素、項目、又は工程を追加することができることを意味する、非限定的な用語である。本明細書で使用するとき、用語「備える／含む（comprises）」は、用語「本質的にからなる」及び「からなる」を含む。「からなる（Consist of）」は、用語「からなる」に続く特色、構成要素、又は工程のみが、更なる特色、構成要素、項目、又は工程を含まないことを意味する。
【００３４】
本明細書で使用するとき、「おむつ」及び「パンツ」とは、概して、乳児、幼児及び失禁者によって、着用者の腰及び脚を取り囲むように胴体下部の周囲に着用され、特に、尿及び糞便排泄物を受容し収容するように適合された吸収性物品を指す。パンツにおいては、本明細書で使用するとき、第１及び第２の腰部領域の長手方向縁部は、腰部開口部及び脚部開口部を予め形成するために互いに取り付けられている。パンツは、着用者の脚を脚部開口部内に挿入し、パンツ吸収性物品を着用者の下部胴体の周りの所定位置に横滑りさせることによって、着用者の所定位置に配置される。パンツは、限定するものではないが、再取り付け可能な接合材及び／又は再取り付け不可能な接合材（例えば、縫合、溶接、接着剤、粘着性接合材、留め具など）を用いて吸収性物品の部分を互いに結合することを含む任意の好適な手法によって、予め形成されてもよい。パンツは、物品の外周に沿った任意の位置において予め形成することができる（例えば、側面締着、前腰部締着）。おむつにおいては、腰部開口部及び脚部開口部は、おむつが、第１の腰部領域及び第２の腰部領域の長手方向縁部を好適な締着システムによって両側で互いに（剥離可能に）取り付けられることによって着用者に適用されたときにのみ、形成される。
【００３５】
「長手方向」は、物品が平らに延ばされ非収縮状態のときに吸収性物品の腰部縁部から長手方向に対向する腰部端縁まで、実質的に垂直に走る方向を意味する。
【００３６】
「横断方向」とは、物品の長手方向に延在する側縁部から、横断方向に対向して長手方向に延在する側縁部まで走り、かつ概ね長手方向に直角な方向を指す。
【００３７】
「近位」及び「遠位」とは、それぞれ、要素が構造体の長手方向中心線又は横断方向中心線に対して、相対的に近くに又は遠くに位置していることを指す（例えば、長手方向に延在する、ある要素の近位縁部の、長手方向中心線に対する位置は、同じ要素の遠位縁部の、同じ長手方向中心線に対する位置よりも近い）。
【００３８】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００３９】
吸収性物品
本明細書に開示される吸収性物品２０は、図１、２、４、５、７、及び８に例示的に示されており、図２、４、５、及び７は、平らに広げられた吸収性物品の平面図であり、身体に面する表面が観察者に面している。図１及び８は、着用者の周囲に配置される吸収性物品の斜視図である。吸収性物品２０は、長手方向寸法を有する長手方向中心線１００と、横断方向寸法を有する横断方向中心線１１０とを有する。物品２０は、前側腰部縁部３１を有する前側腰部領域３６と、後側腰部縁部３２を有する後側腰部領域３６とを有する。股部領域３７は、前側及び後側腰部領域間に配設され、これらを連結する。前側腰部縁部３１及び後側腰部縁部３２は一緒に、物品が着用者に適用されると着用者の腰部を取り囲むように腰部開口部を形成する。吸収性物品２０が着用者に適用されるとき、吸収性物品は、着用者の脚を取り囲む一対の脚部開口部を更に備える。吸収性物品がパンツである場合、腰部開口部及び一対の脚部開口部は、吸収性物品が着用者に適用される前に予め形成される。
【００４０】
吸収性物品２０は、中央シャーシ２２を備える。中央シャーシは、液体不透過性バックシート２６、液体透過性トップシート２４、並びにバックシートとトップシートとの間に配設された吸収性コア（図には示されていない）を含む。中央シャーシ２２は、第１の横断方向縁部１４、及び第２の横断方向縁部１５、第１の長手方向側縁部１２、及び第２の長手方向側縁部１３を有する。第１の横断方向縁部１４は、後側腰部領域３８に配設され、第２の横断方向縁部１５は、前側腰部領域３６に配設される。
【００４１】
吸収性物品２０は、第１のベルト４０を更に備え、任意に、第２のベルト６０を備えてもよい。第１のベルト４０及び任意の第２のベルト６０は各々、第１及び第２の長手方向ベルト側縁部５５及び５６をそれぞれ含んでもよく、各々が第１及び第２の横断方向ベルト側縁部を含む。第１のベルト４０は、吸収性物品２０の後側腰部縁部３２が、第１のベルト４０の第１の横断方向ベルト側縁部によって形成されるように、後側腰部領域３８に配設されてもよい。
【００４２】
吸収性物品２０が第２のベルト６０を備える場合、第２のベルト６０は、吸収性物品２０の前側腰部縁部３１が、第２のベルト６０の第１の横断方向縁部によって形成されるように、前側腰部領域３６に配設されてもよい。
【００４３】
中央シャーシ２２は、例えば、中央シャーシをその第１の横断方向縁部１４において又はこれに隣接して第１のベルト４０に接合することによって、第１のベルト４０に取り付けられてもよい。吸収性物品２０が第２のベルト６０を備える場合、中央シャーシ２２はまた、例えば、中央シャーシをその第２の横断方向縁部１５において又はこれに隣接して第２のベルト６０に接合することによって、第２のベルト６０に取り付けられてもよい。中央シャーシ２２は、接着剤、超音波結合、圧力結合、熱結合、又はこれらの組み合わせなどの当該技術分野において既知の任意の手段によって、第１のベルト４０及び任意の第２のベルト６０に取り付けられてもよい。
【００４４】
中央シャーシ２２は、吸収性物品の股部領域３７を通って延在し、前側及び後側腰部領域３６及び３８へと延在し得る。中央シャーシ２２の長手方向寸法は、吸収性物品の長手方向寸法と同じであってもよい。中央シャーシ２２の第１の横断方向縁部１４は、吸収性物品２０の後側腰部縁部３２と一致してもよく、中央シャーシ２２の第２の横断方向縁部１５は、吸収性物品２０の前側腰部縁部３１と一致してもよい。あるいは、また好ましくは、中央シャーシ２２の第１の横断方向縁部１４が吸収性物品２０の後側腰部縁部３２から横断方向にオフセットし、中央シャーシ２２の第２の横断方向縁部１５が吸収性物品２０の前側腰部縁部３１から横断方向にオフセットするように、中央シャーシ２２は、吸収性物品２０の長手方向寸法よりも短い長手方向寸法を有してもよい。更に別の代替例では、中央シャーシ２２の第１の横断方向縁部１４が吸収性物品２０の後側腰部縁部３２から横断方向にオフセットする一方で、中央シャーシ２２の第２の横断方向縁部１５が吸収性物品２０の前側腰部縁部３１と一致するように、中央シャーシ２２は、吸収性物品２０の長手方向寸法よりも短い長手方向寸法を有してもよい。なおも別の代替例では、中央シャーシ２２の第１の横断方向縁部１４が吸収性物品２０の後側腰部縁部３２と一致し、中央シャーシ２２の第２の横断方向縁部１５が吸収性物品２０の前側腰部縁部３１から横断方向にオフセットするように、中央シャーシ２２は、吸収性物品２０の長手方向寸法よりも短い長手方向寸法を有してもよい（この実施形態では、吸収性物品は第２のベルトを備える）。
【００４５】
しかしながら、吸収性物品が第２のベルト６０を備えない場合、中央シャーシ２２の第２の横断方向縁部１５は、吸収性物品２０の前側腰部縁部３１の一部又は全部を形成してもよい。このような吸収性物品２０では、中央シャーシ２２の第１の横断方向縁部１４は、吸収性物品の後側腰部縁部３２から横断方向にオフセットされてもされなくてもよい（しかしながら、それが後側腰部縁部から横断方向にオフセットされることが望ましい）。
【００４６】
一般に、中央シャーシ２２が、前側及び／又は後側腰部縁部３１／３２から横断方向にオフセットする場合、前側及び／又は後側腰部縁部３１、３２のオフセットは、吸収性物品２０の長手方向寸法全体の３〜３０％、又は吸収性物品の長手方向寸法全体の５〜２５％であってもよい。
【００４７】
好ましい実施形態では、中央シャーシ２２は、吸収性物品２０の後側腰部縁部３２からオフセットされるよりも小さく、吸収性物品２０の前側腰部縁部３１から、長手方向にオフセットする。後側オフセット対前側オフセットの比は、１．１〜５、好ましくは１．５〜３であってもよい。オフセットは、中心シャーシ２２が着用者の低運動ゾーン内に主に存在することを確実にする（より詳細には以下を参照されたい）。これは、中央シャーシが、非伸展性又は高非伸展性の材料で作製され得るため重要である。（本明細書で留意するべきなのは、上記の試験方法から逸脱して、用語「非伸展性」及び高非伸展性」が中心シャーシに関連して使用されるので、伸展方向は長手方向で決定される。したがって、上述の試験を実施するための２５．４ｃｍの試料の長さは、材料が次いで中央シャーシに組み込まれる際の材料の長手方向に相当する。）
【００４８】
図２、４、５、及び７は、平らな非収縮状態にある（即ち、弾性が誘起する収縮のない）、本開示の吸収性物品２０の例示的な非限定的実施形態の平面図である。吸収性物品２０の身体に面する表面が、読者に面している。吸収性物品２０は、長手方向中心線１００と、横断方向中心線１１０と、を含む。吸収性物品２０は、中央シャーシ２２と、第１のベルト４０と、第２のベルト６０と、を備える。第２のベルトは、前側腰部領域３６に設けられてもよく、任意である。吸収性物品２０は、前側腰部領域３６、前側腰部領域３６に対向する後側（又は背面）腰部領域３８、及び前側腰部領域３６と後側腰部領域３８との間に位置する股部領域３７を有することが示されている。腰部領域３６及び３８は、吸収性物品２０において、着用時に着用者の腰部を取り囲む部分を概ね含む。腰部領域３６及び３８は、向上したフィット性及び封じ込め性を提供するように、着用者の腰部周囲でギャザーをなすような弾性ストランド２００を含む。股部領域３７は、吸収性物品２０が着用されたときに、概ね着用者の脚の間に位置付けられる吸収性物品２０の部分である。
【００４９】
中央シャーシ
吸収性物品２０は、中央シャーシ２２を備える。中央シャーシ２２は、液体不透過性バックシート２６と、液体透過性トップシート２４と、バックシートとトップシートとの間に配設された吸収性コアと、を備える。中央シャーシ２２は、第１の横断方向縁部１４、及び第２の横断方向縁部１５、第１の長手方向側縁部１２、及び第２の長手方向側縁部１３を有する。第１の横断方向縁部１４は、後側腰部領域３８に配設され、第２の横断方向縁部１５は、前側腰部領域３６に配設される。
【００５０】
中央シャーシ２２は、長手方向中心線１００に対して概ね平行に配向され得る、対向する第１及び第２の長手方向側縁部１２及び１３を有する。しかしながら、より良好なフィット性のため、第１及び第２の長手方向側縁部１２及び１３は、例えば、平面図で見ると「砂時計」形の吸収性物品が製造されるように、湾曲しても角度があってもよい。中央シャーシ２２は、横断方向中心線１１０に対して概ね平行に直線であり、配向され得る、対向する第１及び第２の横断方向縁部１４及び１５を有する。
【００５１】
中央シャーシ２２は、液体透過性トップシート２４と、液体不透過性バックシート２６と、トップシート２４とバックシート２６との間の吸収性コアと、を備える。吸収性コアは、身体に面する表面及び衣類に面する表面を有する。トップシート２４は、吸収性コア及び／又はバックシート２６に接合されてもよい。バックシート２６は、吸収性コア及び／又はトップシート２４に接合されてもよい。中央シャーシは、吸収性コアとトップシート２４との間に配設される流体吸収システムなどの、吸収性コアとトップシート２４及び／又はバックシート２６との間に位置付けられ得る他の構造、要素、又は基材を有してもよい。中央シャーシ２２は、追加の特徴部を含んでもよい。トップシート２４、バックシート２６、及び吸収性コアは、種々の周知の構成で組み立てられ得るが、好適な構成は、概して米国特許第３，８６０，００３号、同第５，１５１，０９２号、同第５，２２１，２７４号、同第５，５５４，１４５号、同第５，５６９，２３４号、同第５，５８０，４１１号、及び同第６，００４，３０６号に記載されている。
【００５２】
トップシート２４は、一般に、着用者に少なくとも部分的に接触して又は近接近して位置付けられ得る、吸収性物品２０の一部である。好適なトップシート２４は、多孔質発泡体、網状発泡体、有孔プラスチックフィルム、又は天然繊維（例えば、木材繊維若しくは綿繊維）、合成繊維（例えば、ポリエステル繊維若しくはポリプロピレン繊維）、又は天然繊維と合成繊維との組み合わせによる織布ウェブ又は不織布ウェブなどを含み得る。トップシート２４は、一般に、着用者の肌に対してしなやかで柔らかい感触であり、非刺激性である。一般に、トップシート２４の少なくとも一部は、液体透過性であり、液体をトップシート２４の厚みを通って容易に透過させることができる。本明細書で有用なトップシート２４の１つは、ＢＢＡ  Ｆｉｂｅｒｗｅｂ（Ｂｒｅｎｔｗｏｏｄ，ＴＮ）から供給元コード０５５ＳＬＰＶ０９Ｕとして入手可能である。
【００５３】
トップシート２４の任意の部分が、当分野において公知のローション又はスキンケア組成物によりコーティングされていてもよい。好適なローションの例としては、米国特許第５，６０７，７６０号、同第５，６０９，５８７号、同第５，６３５，１９１号、及び同第５，６４３，５８８号に記載されている。トップシート２４は、全体的に又は部分的に伸縮性であってもよいか、又はトップシート２４と吸収性コア２８との間に空隙空間を提供するように収縮させてもよい。伸縮性を持たせた又は収縮されたトップシートを含む好適な構造体が、米国特許第４，８９２，５３６号、同第４，９９０，１４７号、同第５，０３７，４１６号、及び同第５，２６９，７７５号に記載されている。
【００５４】
吸収性コアは、使い捨ておむつ、パンツ、及び他の吸収性物品に通常使用される多種多様な液体吸収性材料を備え得る。好適な吸収性材料の例として、通常エアフェルト、捲縮セルロース塊、コフォームを含むメルトブローンポリマーと呼ばれる粉砕された木材パルプ、化学的に堅固化、改質、又は架橋されたセルロース繊維、薄紙の包装紙及び薄紙積層体を含む薄紙、吸収性発泡体、吸収性スポンジ、超吸収性ポリマー（superabsorbent polymer、ＳＡＰ）、又は任意の他の吸収性材料若しくは材料の組み合わせが挙げられる。吸収性材料は、コアカバー（身体に向かう上層）及びダスティング層（衣類に向かう下層）を含み得る、１つ以上のコアラップ層によって収容され得る。コアラップ層は、不織布ウェブであってもよい。吸収性コアの少なくとも一部分又は全ては、セルロースを実質的に含まなくてもよく、１０重量％未満のセルロース繊維、５重量％未満のセルロース繊維、１重量％未満のセルロース繊維、微量のセルロース繊維を含有するか、又はセルロース繊維を含有しなくてもよい。微量のセルロース材料は、実質的にセルロースを含まない吸収性コアの一部分の薄さ、可撓性、及び吸収性に著しく影響を及ぼさないことが理解されるべき。他の利点の中でも、吸収性コアの少なくとも一部が実質的にセルロースを含まない場合、吸収性コアのこの部分は、１０重量％超のセルロース繊維を含む、同様の吸収性コアよりも著しく薄く、高い可撓性があると考えられる。吸収性コア内の粒子状のＳＡＰの量は変動してもよく、吸収性コアの約８０重量％超、又は吸収性コアの約８５重量％超、又は吸収性コアの約９０重量％超、又はコアの約９５重量％超であり得る（存在する場合、コアラップ層は、百分率を計算するときに除外される）。吸収性コアは、例えば、コアラップ層内でＳＡＰを固定化するのを助けるために、及び／又はコアラップ層を元のままの状態で確保するために、接着剤を含んでもよい。
【００５５】
吸収性コアとして使用するための例示的な吸収性構造は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号に記載されている。
【００５６】
液体不透過性バックシート２６は、概して、吸収性物品２０の衣類に面する表面の少なくとも一部分を形成することができるように位置する。バックシート２６は、吸収性物品２０によって吸収され、その中に収容された排出物が、ベッドシーツ及び下着などの、吸収性物品２０と接触し得る物品を汚すのを防止するように設計され得る。好適なバックシート２６の材料としては、Ｔｒｅｄｅｇａｒ  Ｉｎｄｕｓｔｒｉｅｓ  Ｉｎｃ．（Ｔｅｒｒｅ  Ｈａｕｔｅ、ＩＮ）により製造され、商品名Ｘ１５３０６、Ｘ１０９６２、及びＸ１０９６４で販売されているものなどのフィルムが挙げられる。他の好適なバックシート２６の材料としては、吸収性物品２０から蒸気を逃がすことが可能でありながら排出物がバックシート２６を通過することを防止する、通気性材料を挙げることができる。例示的な通気性材料としては、織布ウェブ、不織布ウェブ、フィルムコーティング不織布ウェブなどの複合材料、並びに微多孔質フィルムなどの材料（ＥＳＰＯＩＲ  ＮＯの名称で日本のＭｉｔｓｕｉ  Ｔｏａｔｓｕ  Ｃｏ．により製造されているもの、及びＥＸＸＡＩＲＥの名称でＥＸＸＯＮ  Ｃｈｅｍｉｃａｌ  Ｃｏ．（Ｂａｙ  Ｃｉｔｙ、ＴＸ）により製造されているものなど）を挙げることができる。ポリマーブレンドを含む好適な通気性複合材料は、ＨＹＴＲＥＬブレンドＰ１８−３０９７という名称で、Ｃｌｏｐａｙ  Ｃｏｒｐｏｒａｔｉｏｎ（Ｃｉｎｃｉｎｎａｔｉ、ＯＨ）から入手可能である。このような通気性複合材料は、ＰＣＴ出願ＷＯ９５／１６７４６号及び米国特許第５，８６５，８２３号に、一層詳細に記載されている。不織布ウェブ及び孔あき成形フィルムを含めた他の通気性バックシートが、米国特許第５，５７１，０９６号に記載されている。好適なバックシートは、米国特許第６，１０７，５３７号に開示されている。以下に限定されないが、表面処理、特定のフィルムの選択及び加工、特定のフィラメントの選択及び加工などを含めた、他の好適な材料及び／又は製造技法が、好適なバックシート２６を提供するために使用されてもよい。
【００５７】
バックシート２６はまた、２層以上の層から構成されてもよい。バックシート２６は、外側カバー層及び内側層を備えてもよい。外側カバー層は、不織布材から作製されてもよい。内側層は、フィルムから作製されてもよい。バックシート２６は、グラフィックパッチ層を含んでもよい。これらの層のうちの少なくとも１つは、表面のうちの１つ以上に単色又は多色印刷を有してもよい。内側層は、実質的に液体不透過性のフィルムから作製され得る。外側カバー及び内側層は、接着剤又は任意の他の好適な材料又は方法によって１つに接合されていてもよい。特に好適な外側カバーは、供給元コードＡ１８ＡＨ０としてＣｏｒｏｖｉｎ  ＧｍｂＨ（Ｐｅｉｎｅ，Ｇｅｒｍａｎｙ）から入手可能であり、特に好適な内側層は、供給元コードＰＧＢＲ４ＷＰＲとしてＲＫＷ  Ｇｒｏｎａｕ  ＧｍｂＨ（Ｇｒｏｎａｕ，Ｇｅｒｍａｎｙ）から入手可能である。
【００５８】
吸収性物品２０は、脚部ガスケットシステム１２０を含んでもよい。脚部ガスケットシステム７０は、内側カフの折り畳まれた縁部及び内側カフの材料縁部を含む、内側脚部カフを備えてもよい。脚部ガスケットシステム１２０は、外側カフの折り畳まれた縁部及び外側カフの材料縁部を含む、外側カフを更に備えてもよい。脚部ガスケットシステム１２０は、中央シャーシの構成要素であってもよい。
【００５９】
脚部ガスケットシステム１２０は、内側脚部カフのみを備えてもよい。
【００６０】
内側及び外側脚部カフは、フィルム及び／又は不織布によって形成されてもよく、接着剤を使用して接合されてもよい。一実施形態では、脚部ガスケットシステム１２０は、１つの材料ウェブを含む。別の実施形態では、脚部ガスケットシステム１２０の少なくとも一部分は、別個のウェブ材料、トップシート２４の一部、及び／又はバックシート２６の一部で形成されてもよい。
【００６１】
外側脚部カフは、外側カフの折り畳まれた縁部と外側カフの材料縁部との間に、横断方向の配列で位置する弾性部材１２１を備えてもよく、外側脚部カフは、任意に、少なくとも２つの弾性部材、又は少なくとも３つの弾性部材を備えるが、５つ以下の弾性部材を備え得る。一実施形態では、弾性部材は、外側カフの折り畳まれた縁部と内側カフの材料縁部との間に配設されてもよい。
【００６２】
脚部ガスケットシステム１２０は、内側カフの折り畳まれた縁部及び内側カフの材料縁部と、１〜４つの弾性部材１２２とで構成される内側脚部カフを有してもよい。脚部ガスケットシステム１２０は、外側カフの折り畳まれた縁部、及び外側カフの材料縁部を含む、外側カフを更に備えてもよい。
【００６３】
低運動ゾーン
図９Ａ及び図９Ｂは、着用者の低運動ゾーンが位置するところを示す着用者の正面及び背面図を示す。図面中の網掛けゾーンは、低運動ゾーンを表している。着用者の解剖学的構造によって定義されるように、「低運動ゾーン」は、動的動作にもかかわらず実質的に変形されていないままであるか、又は非常にわずかな運動をも受けない身体のゾーン又は区域を意味するように定義される。図９Ａに示されるように、低運動ゾーンは、腹直筋、以降腹部の筋目「Ｔ」によって作り出される筋目又は折り目を通って各上前腸骨棘「Ｓ」に連結する下腹部領域の弓状線によって縁取られている。腹部の筋目は、典型的には、着用者が座位に入るとき、腹部によって作り出される皮膚又は筋肉の折り目又は屈曲筋目である。低運動ゾーンは、上前腸骨棘を、大臀筋下の鼡径靱帯に沿って（臀部折り目に沿って）会陰を通り、下後腸骨棘（以下脚部筋目「Ｌ」）周囲に連結する弓状線によって、各々の横断方向側面で縁取られている。図９Ｂに示されるように、低運動ゾーンは、背中の腰椎曲線「Ｒ」（背中のくぼみ）に沿って、大臀筋上の下後腸骨棘を連結する線によって、着用者の背面で縁取られている。本発明の目的のために、着用者の動作によって引き起こされるこのゾーンに発生する力は、臀部を超えて物品を腰椎曲線へ押し上げて、物品のフィット性を低下させるのではなく、そのようなフィット性をむしろ向上させる傾向があるので、大臀筋が一部の動的運動を受けるという事実にもかかわらず、低運動ゾーンはまた（図９Ｂに網掛けがないが）、大臀筋のゾーン又は区域を含む。
【００６４】
本発明の吸収性物品の第１のベルト及び任意の第２のベルトは、吸収性物品の使用中に物品を着用者の周囲に固定して、吸収性物品の使用中の垂れ下がり／間隙ができること及び横滑り／滑りの可能性が低減される、「固定システム」を物品に提供することができる。固定システムは、着用中に吸収性物品の位置を維持するための固定力を付与する、実質的に低運動ゾーンの周囲周辺の張力線（ゾーン）（複数可）（以下、一次張力線）を提供する。図９Ｃに示されるように、一次張力線が背中の腰椎曲線周囲（「背中のくぼみ」）からヒップの腸骨稜を超えて腹部筋目まで延在するように、一次張力線は、着用者の身体の水平に対して、角度α（吸収性物品の横断方向に対する角度）で配設される。したがって、一次張力線が安定し、着用者の動作、又は負荷がかかったときの吸収性物品の増加した重量の力に起因して、使用中に吸収性物品が横滑り又は滑り落ちる可能性が低いように、着用者上の吸収性物品の位置を維持する固定力を維持するように、一次張力線は、身体寸法の変化が最小のゾーンに配設される（すなわち、一次張力線は、動作中寸法が増減する腹部又は大臀筋上に配設されない）。固定システムによって作り出される角度のある一次張力線はまた、身体上の吸収性物品を引き上げる傾向のある上向きの固定力を吸収性物品に付与し、したがって、一次張力線が長手方向にベクトル成分を有するので、負荷のかかった物品の重力に対抗する。垂直の固定力が圧縮的に作用して物品と身体とを密接に接触させるので、一次張力線（角度のある一次張力線の別のベクトル成分）によって作り出される垂直の固定力によって、低運動ゾーンに吸収性物品を固定する。したがって、物品及び特に吸収性コアが実質的に固定された位置に身体と密接した関係で維持されるので、これらの垂直の固定力は、吸収性物品のフィット性を維持し、同様に漏れを低減するのを補助する。赤くなることを引き起こし得る、一次張力線に沿った身体寸法の増減がないように、固定力が低運動ゾーンに配設されるので、角度のある一次張力線はまた、皮膚が赤くなることを低減する傾向がある。
【００６５】
本発明の吸収性物品のベルト（複数可）は、低運動ゾーンの外側にあるベルトの領域と比較して、脚部開口部区域と腰部開口部区域との間に、低運動ゾーンにおいてより高い応力をかけることができる。第１及び第２のベルトにおいて、第２及び任意の第５のゾーンは、弾性ストランドがベルトに適用される方法により、第１、第３、及び任意の第４、及び第６のゾーンと比較してより高い応力を印加することができる区域である。この方法は、以下でより詳細に説明される。それにより、吸収性物品は、着用者の低運動ゾーンの周辺内で持続的に設けられ、低運動ゾーン内にフィットしない部分での吸収性物品の拡張を提供する。
【００６６】
ベルト
ベルト（複数可）を含む本発明の吸収性物品を示す図１、２、４、５、７及び８に加えて、図３及び６は、サイドシームで互いに接合されている第１及び第２のベルトの部分の拡大図を示す。
【００６７】
本発明の吸収性物品２０は、少なくとも第１のベルト４０を備える。第１のベルト４０は、後側腰部領域３８に設けられ得る。ここで、第１のベルト４０は、吸収性物品２０の後側腰部縁部３２を形成する。吸収性物品２０は、前側腰部領域３６に提供される第２のベルト６０を更に含んでもよい。このような吸収性物品２０では、第２のベルト６０は、吸収性物品２０の前側腰部縁部３１を形成する。
【００６８】
第１のベルト４０は、第１のベルト４０の内側（即ち、身体に面する）表面上に配設された第１のベルト層４１と、第１のベルト４０の外側（即ち、衣類に面する）表面上に配設された第２のベルト層４２と、を含む。
【００６９】
任意の第２のベルト６０は、第２のベルト６０の内側（即ち、身体に面する）表面上に配設された第３のベルト層６１と、第２のベルト６０の外側（即ち、衣類に面する）表面上に配設された第４のベルト層６２と、を含む。
【００７０】
第１及び任意の第２のベルト４０、６０は、実質的に吸収性物品２０の横断方向に沿って延在する弾性ストランド２００を更に備える。第１のベルト４０の弾性ストランド２００は、第１のベルト層４１と第２のベルト層４２との間に配設される。任意の第２のベルト６０の弾性ストランド２００は、第３のベルト層６１と第４のベルト層６２との間に配設される。
【００７１】
横断方向は、吸収性物品２０の横断方向中心線１１０に平行に延在する。本明細書で使用するとき、「実質的に」横断方向に沿って延在する弾性ストランド２００は、弾性ストランドが横断方向中心線から最大３０°、又は最大２０°、又は最大１５°、又は最大１０°、又は最大５°の角度で延在する横断方向からの偏差を含む。実質的に横断方向に沿ってとはまた、（偏差なしで）横断方向に平行であることも含む。
【００７２】
実質的に横断方向に沿って延在する弾性ストランド２００は、直線状に延在してもよく、即ち、直線に沿って延在する。あるいは、実質的に横断方向に沿って延在する弾性ストランド２００は、吸収性物品の横断方向中心線に対して、平行な又は角度のある（最大３０°、又は最大２０°、又は最大１５°、又は最大１０°、又は最大５°）線と少なくとも２回交差するように、湾曲していてもよい。
【００７３】
弾性ストランド２００はまた、例えば、弾性ストランド２００のうちの一部が、直線状にかつ横断方向中心線に平行に延在する一方で、他の弾性ストランドが、横断方向中心線１１０に対して湾曲しかつ角度があるように、上記の実施の組み合わせとして設けられてもよい。
【００７４】
弾性ストランド２００が実質的に横断方向に沿って延在しているかどうかは、弾性ストランドが伸張した状態でそれぞれのベルト層が平坦かつ直線状かどうかで決定される。
【００７５】
第１のベルト層４１及び第２のベルト層４２は各々、１つの連続的な材料シート（単一層材料又は積層体であってもよい）で作製されてもよい。あるいは、第１及び／又は第２のベルト層４１及び４２は各々、第１及び第２のベルト層４１及び４２をそれぞれ形成するように、それらの周辺の部分に沿って互いに接合されている、２枚以上の材料シートで作製されてもよい。第１及び第２のベルト層４１及び４２はまた、後側腰部縁部３２で連続的な材料シート（単一層材料又は積層体であってもよい）を折り重ねることによって形成されてもよい。また、連続的な材料シート（単一層材料又は積層体であってもよい）は、前側腰部縁部３２で折り重ねられて、完全な第２のベルト層４２及び第１のベルト層４１の部分を形成してもよく、１枚以上の他の連続的な材料シート（複数可）（各々が単一層材料又は積層体であってもよい）が、第２の前側ベルト層と連続的であり、折り重ねられることによって形成される第１のベルト層の部分に接合されている。
【００７６】
同様に、任意の第２のベルト６０の第３及び第４のベルト層６１及び６２は各々、１枚の連続的な材料シート（単一層材料又は積層体であってもよい）で作製されてもよい。あるいは、任意の第３及び／又は第４のベルト層６１及び６２は各々、第３及び第４のベルト層をそれぞれ形成するように、周辺の部分に沿って互いに接合されている、２枚以上の材料シートで作製されてもよい。第３及び第４のベルト層６１及び６２はまた、前側腰部縁部３１で連続的な材料シート（単一層材料又は積層体であってもよい）を折り重ねることによって形成されてもよい。また、連続的な材料シート（単一層材料又は積層体であってもよい）は、前側腰部縁部３１で折り重ねられて、完全な第４のベルト層６２及び第３のベルト層６１の部分を形成してもよく、１枚以上の他の連続的な材料シート（複数可）（各々単一層材料又は積層体であってもよい）が、第４のベルト層と連続的であり、折り重ねられることによって形成される第３のベルト層の部分に接合されている。
【００７７】
ベルト層
第１、第２、並びに任意の第３及び第４のベルト層４１、４２、６１、及び６２は、非伸長性、非弾性、又は高非弾性であってもよい。それらは、不織布ウェブ、織布ウェブ、編布地、ポリマーフィルム、有孔ポリマーフィルム、スポンジ、発泡体、スクリム、並びにこれらの組み合わせ及びこれらの積層体から形成されていてもよい。
【００７８】
ベルト層４１、４２、６１、及び６２を形成するために使用される不織布ウェブは、繊維及びウェブがほぼ同時点で形成される直接押出プロセスによって、又は別個に続いて起こる時点でウェブに敷設され得る予め形成された繊維によって形成することができる。直接押出プロセスの例としてはスパンボンディング、スパンレイド、メルトブローイング、溶剤スピニング、エレクトロスピニング、カード、フィルムフィブリル化、メルトフィルムフィブリル化、エアレイド、ドライレイド、ウェットレイドステープル繊維、及び典型的に層を形成するこれらの組み合わせが挙げられるが、これらに限定されない。
【００７９】
「レイ」プロセスの例としては、湿式レイ及び乾式レイが挙げられる。乾式レイプロセスの例としては、エアレイ、カーディング、及びこれらの組み合わせが挙げられるがこれらに限定されない。組み合わせ例としては、典型的には層において、スパンボンド−メルトブローン−スパンボンド（spunbond-meltblown-spunbond、ＳＭＳ）、スパンボンド−カーディング（spunbond-carded、ＳＣ）、スパンボンド−エアレイド（spunbond-airlaid、ＳＡ）、メルトブローン−エアレイド（meltblown-airlaid、ＭＡ）、及びこれらの組み合わせが挙げられるがこれらに限定されない。不織布ウェブ中の繊維は、典型的には、重なり合う接合部のいくつかで、１つ以上の隣接する繊維に接合される。これには、２層以上の層があるとき、各層内での繊維の接合と層間の繊維の接合とが包含される。繊維は、機械的なもつれ（圧力結合、熱結合、化学的結合、又はこれらの組み合わせなど）によって接合することができる。
【００８０】
いくつかの実施態様では、不織布は、電解紡糸不織布ウェブ、フラッシュパン不織布ウェブ（例えば、ＤｕＰｏｎｔによるＴＹＶＥＫ（商標））、又はこれらの組み合わせであってもよい。
【００８１】
第１及び第２、並びに任意の第３及び第４のベルト層に使用される不織布ウェブは、ポリプロピレン（polypropylene、ＰＰ）又はポリエチレン（polyethylene、ＰＥ）、ＰＰとＰＥとのブレンド；ポリエステル、ポリアミド、ポリウレタン、レーヨン、セルロース、これらのコポリマー、又はこれらのブレンド若しくは混合物などのポリオレフィン繊維で作製することができる。ベルト層の不織布ウェブはまた、ポリ乳酸（poly-lactic acid、ＰＬＡ）、ポリエチレンテレフタレート（polyethylene terephthalate、ＰＥＴ）、及び／又はこれらのブレンド若しくは混合物で作製されてもよい。
【００８２】
第１及び第２、並びに任意の第３及び第４のベルト層４１、４２、６１、及び６２に使用される不織布ウェブはまた、均質な構造体である、すなわち、繊維が単成分繊維である繊維を含んでもよいか、又はシース／コア、サイドバイサイド、海島型、及び他の２成分構成を有し得る２成分繊維を含んでもよい。
【００８３】
ベルト層４１、４２、６１、及び６２として使用され、２成分繊維又は多成分繊維で作製された不織布ウェブに関しては、繊維の構成要素のうちの１つ、好ましくは外側構成要素は、ポリエチレン又は弾性ポリオレフィン、弾性ポリウレタンなどの軟質ポリマーであってもよい。例えば、シース／コア２成分繊維では、シースはポリエチレンで作製されてもよい一方で、コアはポリプロピレンで作製されてもよい。多くの場合、それら個々の成分は、ポリプロピレン若しくはポリエチレンなどのポリオレフィン、又はこれらのコポリマー、ポリエステル、熱可塑性多糖類、若しくは他のバイオポリマーを含む。いくつかの実施態様では、不織布は、コアがＰＥＴであり外側シースがＰＥである、ＰＥ／ＰＥＴ（ポリエチレン／ポリエチレンテレフタレート）コア／シース２成分材料であってもよい。
【００８４】
ベルト層の不織布ウェブは、脂肪族ポリエステル、熱可塑性の多糖類、又は他のバイオポリマーなどの成分を、添加剤又は改質剤として含んでもよい。
【００８５】
第１及び第２のベルト層４１及び４２、並びに任意の第３及び第４のベルト層６１及び６２のうちの１つ以上は、有孔であってもよい。以下に記載の様式で孔が形成された不織布ウェブを使用して、第１及び第２のベルト層のうちの一方若しくは両方、並びに／又は第３及び第４のベルト層のうちの一方若しくは両方を形成することにより、魅力的かつ興味深い効果を提供することができる。例えば、着用中にベルトが移動し伸張される際、孔及びそれを囲む材料は、第１及び任意の第２のベルトにおける収縮により生じる皺と相互作用する。第１（又は第３）のベルト層の孔は、開き、閉じ、形状が変化し、第２（又は第４）のベルト層に対して偏位することにより、複雑さの視覚的印象、深さ、及び追加のテクスチャを提供する。
【００８６】
そのうえ孔のパターンは、機械方向間隔、横断方向間隔、孔の形状及び孔のサイズに関して、実質的に類似する又は予結合パターン（存在する場合）と同一でもよい。例えば、予結合のパターンは、孔のパターンと実質的に類似した機械及び横断方向間隔を有することができる。上述の１つ以上の点で実質的に類似した、予結合のパターン及び孔のパターンを使用することは、その材料に、より均一で、より整然とし、かつ／又は、より一貫性のある外観を与える手助けとなり得るものであり、また、そのような類似性を予結合のパターン及び孔のパターンが有さないウェブと比較して、引張り強さを向上させる手助けにもなり得るものである。
【００８７】
弾性ストランド
第１及び任意の第２のベルト４０及び６０に使用される弾性ストランド２００は、円形、楕円形、三角形、又は正方形を含むがこれらに限定されない種々の断面形状を有してもよく、種々の材料、例えば天然ゴム及び／又はライクラで形成されてもよい。材料はまた、Ｄｔｅｘ又はデニールとしても知られる種々の断面積を備え得る。
【００８８】
ゾーンを有するベルト
本発明の第１のベルト４０は、第１、第２、及び第３のベルトゾーン４３、４４、及び４５を含む。第１のゾーン４１は、吸収性物品２０の後側腰部縁部３２に隣接し、且つ後側腰部縁部３２を含むように設けられる（即ち、第１のゾーン４１は、後側腰部縁部３２を含み、吸収性物品の横断方向中心線１１０に向かって延在する）。第２のゾーン４２は、吸収性物品の横断方向に第１のゾーン４１と第３のゾーン４３との間に設けられる。したがって、第２のゾーン４２は、第１のゾーン４１よりも横断方向中心線１１０に対してより近位に配設され、第３のゾーン４３は、第１及び第２のゾーン４１及び４２よりも横断方向中心線１１０に対してより近位に配設される。
【００８９】
第１、第２、及び第３のゾーン４１、４２、及び４３の各々は、実質的に吸収性物品２０の横断方向に沿って延在し、第１のベルト層４１と第２のベルト層４２との間に配設された弾性ストランド２００を含む。
【００９０】
第２のゾーン４２は、一般に、より高い応力を提供することができ、したがって、第１及び第３のゾーン４１及び４３を低応力で低運動ゾーンの外側に設けることができる一方で、着用者の低運動ゾーン内でフィット性を維持することができる。これは、第１、第２、及び第３のゾーン４１、４２、及び４３の各々に提供される弾性ストランドの特定の構成に起因して、着用者の快適性が増大し、皮膚が赤くなることが低減される。
【００９１】
第１のゾーン４１の弾性ストランド２００は、第１の複数の弾性ストランド４６を含み、これらは第１の複数の弾性ストランド４６のそれぞれの弾性ストランドの横断方向に対向する端部において又はこの端部の近傍において、第１及び第２のベルト層４１、４２のうちの一方又は両方に取り付けられている。第１の複数の弾性ストランド４６の弾性ストランドは、それらの横断方向に対向する端部に、又はこれに隣接する位置から離れた任意の他の位置で、第１及び第２のベルト層４１及び４２に取り付けられなくてもよい。あるいは、弾性ストランドは、それらの対向する端部に、又はこれに隣接する取り付け部の間にある第１及び／又は第２のベルト層４１、４２に間隔をおいて取り付けられてもよい。
【００９２】
第３のゾーン４５の弾性ストランド２００は、第３の複数の弾性ストランド４９を含み、これらは第３の複数の弾性ストランド４９のそれぞれの弾性ストランドの横断方向に対向する端部に、又はこれに隣接して、第１及び第２のベルト層４１、４２のうちの一方又は両方に取り付けられている。第３の複数の弾性ストランド４９の弾性ストランドは、それらの横断方向に対向する端部に、又はこれに隣接する位置から離れた任意の他の位置で、第１及び第２のベルト層４１、４２のうちの一方又は両方に取り付けられなくてもよい。あるいは、弾性ストランドは、それらの対向する端部に、又はこれに隣接する取り付け部の間にある第１及び／又は第２のベルト層４１、４２に間隔をおいて取り付けられてもよい。
【００９３】
第１及び／又は第３の複数の弾性ストランド４６、４９の弾性ストランドを、それらのそれぞれの対向する端部に、又はこれに隣接して取り付けることにより、第１及び／又は第２のベルト層４１、４２への取り付けに起因してそれらの動作を制限することなく、吸収性物品２０の横断方向に自由に拡張及び収縮する弾性ストランドをもたらす。これにより、第１及び／又は第２のベルト層に取り付けられている同じ弾性ストランドと比較して、拡張するのに必要な力がより小さい弾性ストランドがもたらされる。したがって、このような取り付けにより、使用中の着用者の快適性の改善、適用の容易さ、及び第１のベルトの横断方向の拡張をもたらし、（例えば、着用者の動作、又は腹部の拡張に起因する）身体形状の変化に適応することができる。
【００９４】
追加として、第１及び／又は第３の複数の弾性ストランド４６、４９の弾性ストランドを、それらの対向する端部に、又はこれに隣接して、それらの取り付け部間に間隔をおいて第１及び／又は第２の層に取り付けて、弾性ストランドを伸長するのに必要な力を調整及び制御することができる。制限されずに弾性ストランドが拡張するためには、間隔は、比較的高い自由度を提供するのに十分な大きさであるべきである。したがって、第１及び／又は第３の複数の弾性ストランドの弾性ストランドを、第１及び／又は第２のベルト層４１、４２に隣り合って取り付ける間隔は、弾性ストランドが弛緩し収縮状態にあるときに、弾性ストランドの全長の少なくとも２０％、又は少なくとも３０％、又は少なくとも４０％であり得る。
【００９５】
第１及び第２のベルト層４１、４２は、第１のゾーン４３（図には示されていない）内の第１の複数の弾性ストランド４６の隣り合う弾性ストランドの対の間で互いに接合される。
【００９６】
第１及び第２のベルト層４１、４２はまた、第３のゾーン４５（図には示されていない）において、第３の複数の弾性ストランド４９の隣り合う弾性ストランドの対の間で互いに接合される。
【００９７】
隣り合う弾性ストランドの対の間の第１及び／又は第２のベルト層４１、４２への取り付けに起因して、弾性ストランドは、吸収性物品２０の長手方向寸法に対してそれらの位置に実質的に保持される、即ち、横断方向に延在するその長さ全てにわたって弾性ストランドを第１及び／又は第２のベルト層に取り付ける必要なく、吸収性物品２０の長手方向寸法において限定された範囲にのみ移動することができる。隣り合う弾性ストランドの対の間の第１及び／又は第２のベルト層への取り付けはまた、第１のベルトを全体的に元のままに支持し、第１及び第２の層が、第１及び第３のゾーンで互いから分離することを防ぎ、これがこれらの区域で層の互いに対して望ましくない偏位をもたらし得る。それにより、フィット性は快適であり、吸収性物品の使用中に維持され得る。
【００９８】
第２のゾーン４４の弾性ストランドは、吸収性物品２０の横断方向における弾性ストランドの実質的に全長に沿って、第１及び第２のベルト層４１、４２のうちの一方又は両方に取り付けられる、第２の複数の弾性ストランド４８を含む。「実質的に全長」という用語は、全長に沿った取り付けを含むが、第２の複数の弾性ストランドの弾性ストランドが第１及び第２のベルト層４１、４２に取り付けられていないままである、実質的でない間隙を伴う取り付けも含む。このような実質的でない間隙は、弾性ストランドが弛緩した収縮状態にあるとき、弾性ストランドの全長の５％未満、又は３％未満、又は２％未満の間隙である。
【００９９】
このような実質的でない間隙を可能にすることにより、弾性ストランドを第１及び／又は第２のベルト層４０、６０に取り付けるときの、微小なプロセスのばらつきを可能にする。
【０１００】
本発明の吸収性物品２０が第２のベルト６０を備える場合、第２のベルト６０は、第４、第５、及び第６のベルトゾーン６３、６４、及び６５を含む。第４のゾーン６３は、前側腰部縁部３１に隣接して設けられ且つ前側腰部縁部３１を含む（即ち、前側腰部縁部３１を含み、吸収性物品２０の横断方向中心線１１０に向かって延在する）。第５のゾーン６４は、吸収性物品２０の横断方向に第４のゾーン６３と第６のゾーン６５との間に設けられる。したがって、第５のゾーン６４は、第４のゾーン６３よりも横断方向中心線１１０に対してより近位に配設され、第６のゾーン６５は、第４及び第５のゾーン６３及び６４よりも横断方向中心線１１０に対してより近位に配設される。
【０１０１】
第４、第５、及び第６のゾーン６３、６４、及び６５の各々は、実質的に吸収性物品２０の横断方向に沿って延在し、第３のベルト層６１と第４のベルト層６２との間に配設される弾性ストランド２００を含む。
【０１０２】
第１のベルト４０と同様に、吸収性物品２０が第２のベルト６０を備える場合、第５のベルト６４は、一般に、より高い応力を提供することができ、したがって着用者の低運動ゾーン内でフィット性を維持する一方で、第４及び第６のゾーン６３及び６５は、低運動ゾーンの外側に低応力で低運動ゾーンの外側に設けられ、第４、第５、及び第６のゾーン６３、６４、及び６５の各々に設けられる弾性ストランドの特定の構成に起因して、着用者の快適性が増大し、皮膚が赤くなることが低減され得る。
【０１０３】
第４のゾーン６３の弾性ストランドは、第４の複数の弾性ストランド６６を含み、これらは第４の複数の弾性ストランド６６のそれぞれの弾性ストランドの横断方向に対向する端部に、又はこれに隣接して、第３及び第４のベルト層６１、６２のうちの一方又は両方に取り付けられている。第４の複数の弾性ストランド６６の弾性ストランドは、それらの横断方向に対向する端部に、又はこれに隣接する位置から離れた任意の他の位置で、第３及び第４のベルト層６１、６２のうちの一方又は両方に取り付けられなくてもよい。あるいは、弾性ストランドは、それらの対向する端部に、又はこれに隣接する取り付け部の間にある第３及び／又は第４のベルト層６１、６２に間隔をおいて取り付けられてもよい。
【０１０４】
第６のゾーン６５の弾性ストランドは、第６の複数の弾性ストランド６９を含み、これらは第６の複数の弾性ストランド６９のそれぞれの弾性ストランドの横断方向に対向する端部に、又はこれに隣接して、第３及び第４のベルト層６１、６２のうちの一方又は両方に取り付けられている。第６の複数の弾性ストランド６９の弾性ストランドは、それらの横断方向に対向する端部に、又はこれに隣接する位置から離れた任意の他の位置で、第３及び第４のベルト層６１、６２に取り付けられなくてもよい。あるいは、弾性ストランドは、それらの対向する端部に、又はこれに隣接する取り付け部の間にある第３及び／又は第４のベルト層６１、６２に間隔をおいて取り付けられてもよい。
【０１０５】
第４及び／又は第６の複数の弾性ストランド６６、６９の弾性ストランドを、それらのそれぞれの対向する端部にのみ、又はこれに隣接して取り付けることにより、第３及び／又は第４のベルト層６１、６２へのそれらの取り付けに起因してそれらの動作を制限することなく、自由に拡張及び収縮する弾性ストランドをもたらす。これにより、第３及び／又は第４のベルト層に取り付けられている同じ弾性ストランドと比較して、拡張するのに必要な力がより小さい弾性ストランドがもたらされる。したがって、このような取り付けにより、使用中の着用者の快適性の改善、適用の容易さ、及び第２のベルト６０の横断方向の拡張をもたらし、（例えば、着用者の動作、又は腹部の拡張に起因する）身体形状の変化に適応することができる。
【０１０６】
追加として、第４及び／又は第６の複数の弾性ストランド６６、６９の弾性ストランドを、それらの対向する端部に、又はこれに隣接して、それらの取り付け部間に間隔をおいて第３及び／又は第４の層６１、６２に取り付けて、弾性ストランドを伸長するのに必要な力を調整及び制御することができる。制限されずに弾性ストランドが拡張するためには、間隔は、比較的高い自由度を提供するのに十分な大きさであるべきである。したがって、第４及び／又は第６の複数の弾性ストランド６６、６９の弾性ストランドを、第３及び／又は第４のベルト層６１、６２に隣り合って取り付ける間隔は、弾性ストランドが弛緩した収縮状態にあるときに、弾性ストランドの全長の少なくとも２０％、又は少なくとも３０％、又は少なくとも４０％であり得る。
【０１０７】
第３及び第４のベルト層６１、６２は、第４のゾーン６３（図には示されていない）内の第４の複数の弾性ストランド６６の隣り合う弾性ストランドの対の間で互いに接合される。
【０１０８】
第３及び第４のベルト層６１、６２はまた、第６のゾーン６５（図には示されていない）において、第６の複数の弾性ストランド６９の隣り合う弾性ストランドの対の間で互いに接合される。
【０１０９】
隣り合う弾性ストランドの対の間の第３及び／又は第４のベルト層６１、６２への取り付けに起因して、弾性ストランドは、吸収性物品２０の長手方向寸法に対してそれらの位置に実質的に保持される、即ち、横断方向に延在するその全ての長さにわたって弾性ストランドを第１及び／又は第２のベルト層６１、６２に取り付ける必要なく、吸収性物品２０の長手方向寸法において限定された範囲にのみ移動することができる。隣り合う弾性ストランドの対の間の第３及び／又は第４のベルト層への取り付けはまた、第２のベルトを全体的に元のままに支持し、第３及び第４の層が、第４及び第６のゾーンで互いから分離しないことを防ぎ、これがこれらの区域で層の互いに対して望ましくない偏位をもたらし得る。それにより、フィット性は快適であり、吸収性物品の使用中に維持され得る。
【０１１０】
第５のゾーン６４の弾性ストランドは、吸収性物品２０の横断方向における弾性ストランドの実質的に全長に沿って、第３及び第４のベルト層６１、６２のうちの一方又は両方に取り付けられる、第５の複数の弾性ストランド６８を含む。「実質的に全長」という用語は、全長に沿った取り付けを含むが、第５の複数の弾性ストランド６４の弾性ストランドが第３及び第４のベルト層６１、６２に取り付けられていないままである、実質的でない間隙を伴う取り付けも含む。このような実質的でない間隙は、弾性ストランドが弛緩した収縮状態にあるとき、弾性ストランドの全長の５％未満、又は３％未満、又は２％未満の間隙である。
【０１１１】
このような実質的でない間隙を可能にすることにより、弾性ストランドを第３及び／又は第４のベルト層６１、６２に取り付けるときの、微小なプロセスのばらつきを可能にする。
【０１１２】
第１、第２、第３、並びに任意の第４、第５、及び第６の複数の弾性ストランドのうちの１つ以上（又は全て）の弾性ストランドの、第１のベルト層及び／又は第２のベルト層への、又は第３及び第４のベルト層への取り付けは、それぞれ接着剤で行われてもよい。接着剤での取り付けは、弾性ストランドの弾性特性が、接着剤の使用によってより低い程度に悪影響を受けるため、例えば、超音波での取り付けよりも好ましい。弾性積層体を作製するために、弾性ストランドを不織布層に接着剤で取り付けることは、当該技術分野において一般に周知である。
【０１１３】
第１、第２、第３、並びに任意の第４、第５、及び第６の複数の弾性ストランドの各々の内の弾性ストランドは、吸収性物品の長手方向にそれぞれの隣り合う弾性ストランドから、２〜１５ｍｍ、又は２〜１０ｍｍ、又は３〜１０ｍｍ、又は４〜１０ｍｍ離間していてもよい（これらの値は、隣り合う弾性ストランド間の間隙９０に関連する）。長手方向の吸収性物品の方向における隣り合う弾性ストランド間の間隔９０は、第１、第２、第３、並びに任意の第４、第５、及び第６の複数の弾性ストランドの各々において同じであってもよい。あるいは、１つ以上の複数の弾性ストランドは、１つ以上の他の複数の弾性ストランドの弾性ストランドよりも、隣り合う弾性ストランド間でより大きな間隔を有する弾性体を有してもよい。例えば、第１、第３、及び存在する場合、第４及び第６の複数の弾性ストランド内の弾性ストランドと比較して、第２の複数の弾性ストランド内に、存在する場合は第５の複数の弾性ストランド内に、隣り合う弾性ストランドを、より小さい間隔で設けることが望ましい場合がある。これは、第２及び任意の第５のゾーンにおいて、着用者の身体により良好でより近いフィット性を得ることができる。
【０１１４】
第１の複数の弾性ストランドの弾性ストランドから、第２の複数の弾性ストランドの弾性ストランドまでの間隙（即ち、最も近位で第１の複数の弾性ストランドの弾性ストランドの横断方向中心線と、最も遠位で第２の複数の弾性ストランドの弾性ストランドの横断方向中心線との間の間隔）は、第１及び／又は第２の複数の弾性ストランドの隣り合う弾性ストランド間の間隔と同じであってもよい。あるいは、第１の複数の弾性ストランドの弾性ストランドから第２の複数の弾性ストランドの弾性ストランドまでの間隙は、第１及び／又は第２の複数の弾性ストランドの隣り合う弾性ストランド間の間隔よりも広く、より明確な第１のゾーン及び第２のゾーンを設けることができる。
【０１１５】
これは、第２の複数の弾性ストランドの弾性ストランドから、第３の複数の弾性ストランドの弾性ストランドまでの間隙（即ち、最も近位で第２の複数の弾性ストランドの弾性ストランドの横断方向中心線と、最も遠位で第３の複数の弾性ストランドの弾性ストランドの横断方向中心線との間の間隔）に該当し、第２及び／又は第３の複数の弾性ストランドの隣り合う弾性ストランド間の間隔と同じであってもよい。あるいは、第２の複数の弾性ストランドの弾性ストランドから第３の複数の弾性ストランドの弾性ストランドまでの間隙は、第２及び／又は第３の複数の弾性ストランドの隣り合う弾性ストランド間の間隔よりも広く、より明確な第２のゾーン及び第３のゾーンを設けることができる。
【０１１６】
同様に、吸収性物品が第２のベルトを備える場合、第３の複数の弾性ストランドの弾性ストランドから、第４の複数の弾性ストランドの弾性ストランドまでの間隙（即ち、最も近位で第４の複数の弾性ストランドの弾性ストランドの横断方向中心線と、最も遠位で第５の複数の弾性ストランドの弾性ストランドの横断方向中心線との間の間隔）は、第４及び／又は第５の複数の弾性ストランドの隣り合う弾性ストランド間の間隔と同じであってもよい。あるいは、第４の複数の弾性ストランドの弾性ストランドから第５の複数の弾性ストランドの弾性ストランドまでの間隙は、第４及び／又は第５の複数の弾性ストランドの隣り合う弾性ストランド間の間隔よりも広く、より明確な第４のゾーン及び第５のゾーンを設けることができる。
【０１１７】
また、第２のベルトを備える吸収性物品では、第５の複数の弾性ストランドの弾性ストランドから、第６の複数の弾性ストランドの弾性ストランドまでの間隙（即ち、最も近位で第５の複数の弾性ストランドの弾性ストランドの横断方向中心線と、最も遠位で第６の複数の弾性ストランドの弾性ストランドの横断方向中心線との間の間隔）は、第５及び／又は第６の複数の弾性ストランドの隣り合う弾性ストランド間の間隔と同じであってもよい。あるいは、第５の複数の弾性ストランドの弾性ストランドから第６の複数の弾性ストランドの弾性ストランドまでの間隙は、第５及び／又は第６の複数の弾性ストランドの隣り合う弾性ストランド間の間隔よりも広く、より明確な第５のゾーン及び第６のゾーンを設けることができる。
【０１１８】
第１のベルト４０及び／又は任意の第２のベルト６０の弾性ストランド２００の一部は、第１及び／又は第２のベルト４０、６０の他の弾性ストランド２００よりも低い程度に互いから長手方向に離間している弾性ストランド２００の組で配置されてもよく、それにより弾性ストランドの高密度アレイ９５が形成される。高密度アレイ９５は、２〜４つの弾性ストランド、又は３〜４つの弾性ストランドを備えてもよい。このような高密度アレイ９５は、好ましくは、第２の複数の弾性ストランド４８及び／又は第５の複数の弾性ストランド６８の弾性ストランドによって形成される。高密度アレイ９５内の弾性ストランド間の長手方向間隔９０は、２〜４ｍｍであってもよく、一方、他の弾性ストランド間の長手方向間隔９０は、４ｍｍより大きい、例えば５〜１０ｍｍ、又は６〜１０ｍｍの長手方向間隔９０を有してもよい。
【０１１９】
理論によって束縛されるものではないが、弾性ストランド２００をそのように互い近接させて配設することによって、高密度アレイ９５が、あたかもある特定の幅を有する１つの弾性ストランドであるかのような挙動を呈し、様々な利益を提供する。例えば、高密度アレイ９５は、高密度アレイ９５の弾性ストランドの組み合わせに相当する張応力を提供し、そのため、各弾性ストランド２００は、はるかに低い引張応力で配設されてもよい。更に、高密度アレイ９５の弾性ストランド２００間の間隙９０に作り出されるギャザー１３０は細かいため、身体に面する第１のベルト層及び／又は任意の第３のベルト層の区域は顕著に増加する。材料のそのような区域の増加と、高密度アレイを弾性ストランドと組み合わせることによって、単一の弾性ストランドの幅と比較して分散した幅にわたる引張力を着用者に印加する。すなわち、高密度アレイは、あたかも１つの弾性体であるかのような挙動を呈する。そのため、高密度アレイは、経済的に供給される比較的低密度の弾性ストランドを使用することによって、良好なフィット性を着用者に提供することができる。単一の弾性ストランドのものと比較して、高密度区域での引張力が低減されることにより、着用者の皮膚が赤くなることも低減され、より快適で柔らかいフィット性を着用者に提供することができる。更に、高密度アレイは、使い捨てではない下着に配設される弾性体と同様に、ある特定の幅の弾性体の外観を提供することができる。したがって、高密度アレイを設けることによって、下着のような見た目、即ち高品質の印象を与えることができる。
【０１２０】
高密度アレイ９５は、高密度アレイの弾性ストランド２００の組み合わせに相当する張応力を提供することができ、そのため、各弾性ストランドは、比較的低い引張応力で配設されてもよい。高密度アレイを形成するための弾性ストランドは、１１００ｄｔｅｘ以下、又は９４０ｄｔｅｘ以下の密度を有し得、１５０％〜３００％の伸びで配設され得る。
【０１２１】
高密度アレイ９５を、より高い引張応力が望まれるゾーンに設けてもよい。少なくとも２つの高密度アレイを設けることが、特に効果的な場合がある。少なくとも２つの高密度アレイを、第２のゾーンに設けてもよい。少なくとも２つの高密度アレイを、任意の第５のゾーンに設けてもよい。第５のゾーンの引張応力は、存在する場合、任意の他のゾーンの引張応力よりも大きくなるように提供されてもよい。第１及び第３、並びに任意の第４及び第６のゾーンは、高密度アレイを含んでも含まなくてもよい。第２及び任意の第５のゾーンにおける高密度アレイの数は、第１及び第３、並びに第４及び第６のゾーンの高密度アレイの数より多くてもよい。
【０１２２】
第１及び第３の複数の弾性ストランド４６及び４９の隣り合う弾性ストランドの対の間の、第１のベルト層４１の、第２のベルト層４２への取り付けは、望ましくは接着剤によって行われる。更に、第４及び第６の複数の弾性ストランド６６、６９の隣り合う弾性ストランドの対の間の、任意の第３のベルト層６１の、任意の第４のベルト層６２への取り付けもまた、望ましくは接着剤で行われる。超音波結合と比較して、接着剤結合は、より良好に制御することができる。超音波結合は、超音波結合を直に取り囲む区域に照射する熱を過剰に発生する傾向がある。これは、弾性ストランドの弾性特性に悪影響を及ぼし得るか、あるいはそうでなければ、特に、１０ｍｍ未満、又は更には６ｍｍ未満の間隔など、隣り合う弾性ストランド間の比較的狭い間隙９０では、弾性ストランドを損傷し得る。
【０１２３】
また、第１、第３、任意の第４、及び第６の複数の弾性ストランドの隣り合う弾性ストランドの対の間の、第１のベルト層４１を第２のベルト層４１に、また第２のベルト層６０が使用される場合は第３のベルト層６１を第２のベルト層６２に連続的に結合することは、連続的であってもよく、すなわち断続的でなくてもよい。
【０１２４】
弾性ストランド２００は、典型的には、弾性ストランドは、拡張された伸張状態にあるときに、第１のベルト層４１と第２のベルト層４２との間に配設される。第１及び／又は第２のベルト層に接合された後、弾性ストランドを収縮させるので、第１及び第２のベルト層４１、４２に波形１３０が形成される。これは任意の第２のベルト６０にも該当する。弾性ストランド２００は、典型的には、弾性ストランドが拡張された伸張状態にある間に、第３のベルト層６１と第４のベルト層６２との間に配設される。第３及び／又は第４のベルト層に接合された後、弾性ストランドを収縮させるので、第３及び第４のベルト層６１及び６２に波形１３０が形成される。
【０１２５】
第１のゾーン及び第３のゾーン（並びに第４及び第６のゾーンのそれぞれ）の隣り合う弾性ストランド間の、第１のベルト層４１の、第２のベルト層４２（又は存在する場合、第３及び第４のベルト層６１及び６２それぞれ）への連続的な接着剤での取り付けを有することによって、弾性ストランドの収縮によって生じる第１及び第２のベルト層４１、４２（又は第３及び第４のベルト層６１、６２それぞれ）の波形１３０は、より均質かつ均一になる。これはベルトのより滑らかかつより均一な外観を促進し、ベルトの横断方向におけるより均一な伸び挙動を提供し、概してより衣類のような感覚を与える。
【０１２６】
第１のベルト４０は、第１及び第２の長手方向ベルト側縁部５５及び５６を有し、任意の第２のベルト６０は、第３及び第４の長手方向ベルト側縁部８６及び８７を有する。第１及び任意の第２のベルトの長手方向ベルト側縁部は、吸収性物品２０の長手方向中心線１１０に実質的に平行であってもよい。
【０１２７】
第１のベルト４０はまた、第１及び第２の横断方向ベルト端縁部４７及び５０を有し、任意の第２のベルト６０は、第３及び第４の横断方向ベルト端縁部６７及び７０を有する。第１のベルト４０が後側腰部領域３８に提供される場合、第１のベルト４０の第１の横断方向ベルト端縁部４７が、吸収性物品２０の後側腰部縁部３２を形成する。吸収性物品２０が第２のベルト６０を備える場合、第２のベルト６０の第３の横断方向ベルト端縁部６７が、吸収性物品２０の前側腰部縁部３１を形成する。第１のベルト４０の第１の横断方向ベルト端縁部４７は、実質的に直線状であってもよい。第１のベルト４０の第２の横断方向ベルト端縁部５０は、実質的に直線状であってもよく、又は湾曲していてもよい。第２の横断方向ベルト端縁部５０は、吸収性物品２０が着用者に適用されるとき（又は吸収性物品が予め形成された脚部開口部を有するパンツである場合）、脚部開口部の一部分を形成してもよい。
【０１２８】
同様に、存在する場合、第２のベルト６０の第３の横断方向ベルト端縁部６７は、実質的に直線であってもよく、かつ／又は第２のベルト６０の第４の横断方向ベルト端縁部７０は、実質的に直線状であってもよく、又は湾曲していてもよい。第４の横断方向ベルト端縁部７０は、吸収性物品２０が着用者に適用されるとき（又は吸収性物品が予め形成された脚部開口部を有するパンツである場合）、脚部開口部の一部分を形成してもよい。
【０１２９】
例えば、吸収性物品２０の脚部開口部の形成に寄与する、第１のベルト４０の第２の横断方向ベルト端縁部５０のそれらの部分、及び任意の第２のベルト６０の第４の横断方向ベルト端縁部７０のそれらの部分は、第１及び任意の第２のベルト４０、６０が、長手方向ベルト側縁部５５、５６、８６、８７において（吸収性物品２０の長手方向中心線１００に平行な）最小の長手方向寸法を有するように、弓状の形状を有してもよい。このような構成では、吸収性コアと重なり合う第１のベルト４０の第２の横断方向ベルト端縁部５０の中央部分及び任意の第２のベルト６０の第４の横断方向ベルト端縁部７０の中央部分は、真っ直ぐであってもよい（弾性ストランドが伸張され、ベルト層が平らにされたときに決定される）。
【０１３０】
第１及び任意の第２のベルトの形状は、第１及び第２のベルト層、又は第３及び第４のベルト層が、それぞれ平坦である、すなわち、もはや折り目又は波形を有さず、弾性ストランドが伸張状態にあるように、それぞれのベルトを伸張することによって決定される。
【０１３１】
吸収性物品２０がパンツであり、第１及び第２のベルト４０及び６０を備える場合、第１のベルト４０の第１の長手方向ベルト側縁部５５は、第２のベルト６０の第３の長手方向ベルト側縁部８６に取り付けられて、第１のサイドシーム５７を形成してもよい。第１のベルト４０の第２の長手方向ベルト側縁部５６は、第２のベルト６０の第４の長手方向ベルト側縁部８７に取り付けられて、第２のサイドシーム５８を形成してもよい。第１及び第２のサイドシームは、恒久的であってもよい。
【０１３２】
第１、第２、及び第３の複数の弾性ストランド４６、４８、及び４９の弾性ストランドは、互いに異なってもよく、かつ／又は第１、第２、及び第３の複数の弾性ストランド４６、４８、及び４９の弾性ストランドは、互いに異なって適用されてもよい。例えば、第１及び第３の複数の弾性ストランド４６及び４９の任意の弾性ストランドは、ａ）弾性ストランドのひずみ、ｂ）隣り合う弾性ストランド間の距離、ｃ）複数の弾性ストランドを形成する弾性ストランドの数、ｄ）弾性ストランドのデニール、又はｅ）ａ）〜ｄ）のうちの２つ以上の組み合わせのうちのいずれかにおいて、第２の複数の弾性ストランド４８の弾性ストランドとは異なり得る。例として、第１、第２、及び／若しくは第３の複数の弾性ストランドに対して異なる弾性ストランドが提供されてもよいか、又は同じ弾性ストランドが、第１、第２、及び第３の複数の弾性ストランドに提供されてもよいが、それぞれの複数の弾性ストランドは、異なる方法で（即ち、第１及び第３の複数の弾性ストランド４６及び４９の弾性体は、横断方向に対向する端部において又はそれに隣接して第１及び／又は第２のベルト層４１、４２に取り付けられており、第２の複数の弾性ストランド４８の弾性体は、第１及び／又は第２のベルト層４１、４２に、それらの実質的に全長に沿って取り付けられているという点で異なる別の追加の方法で）適用されてもよい。
【０１３３】
このようにして、第１、第２、及び第３のゾーン４３、４４、及び４５における特性を更に適合させることができる。例えば、第１及び第３のゾーン４３及び４５は、第２のゾーン４４と比較してより低いひずみを有し得る。それにより、第２のゾーンを、着用者により緊密にフィットするように更に構成することができるようになる一方、第１及び第３のゾーンが、着用者の動作の自由度の増加、及び皮膚の赤み発生の低減がもたらされ得るようになる。
【０１３４】
第１のゾーン４３は、第１の横断方向ピーク伸長力を有してもよく、第２のゾーン４４は、第２の横断方向ピーク伸長力を有してもよく、第３のゾーン４５は、第３の横断方向ピーク伸長力を有してもよい。第２の横断方向ピーク伸長力は、第１及び第３の横断方向ピーク伸長力のうちの一方又は両方より大きくてもよい。第２の横断ピーク伸長力は、第１及び第３の横断ピーク伸長力のうちの一方又は両方よりも、少なくとも２５％高い、又は少なくとも３０％高い、又は少なくとも４０％高い、又は少なくとも５０％高い場合がある。第２のピーク伸長力は、第１及び第３の横断方向ピーク伸長力のうちの一方又は両方よりも２００％超、又は１５０％超、又は１００％超でなくてもよい。
【０１３５】
同時に、第１及び第３のゾーン４３及び４５の横断方向の収縮レベルと、２５０％、又は２００％、又は１５０％を超えては異ならない第２のゾーン４４の横断方向の収縮レベルを有することが望ましい場合がある。
【０１３６】
これは、第２の複数の弾性ストランド４８を、弾性ストランドの実質的に全長に沿って、第１及び第２のベルト層の一方又は両方に取り付ける間に、第１及び第３の複数の弾性ストランド４６及び４９の弾性ストランドを、横断方向に対向する端部において又はそれに隣接して、第１及び第２のベルト層４１、４２（のみ）の一方又は両方に取り付けること、又は第１及び第３の複数の弾性ストランド４６及び４９の弾性ストランドを、横断方向に対向する端部において又はそれに隣接して、また（弾性ストランドが弛緩した収縮状態にあるときに測定された）弾性ストランドの横断方向の全伸長の少なくとも１０％、又は少なくとも２０％の間隔で、第１及び第２のベルト層４１、４２（のみ）の一方又は両方に取り付けることによって達成され得る。
【０１３７】
一般に、弾性ストランド２００を、第１及び第２のベルト層４１、４２に実質的に連続して取り付けることにより、それぞれの端部において、若しくはそれに隣接して（又は単にそれぞれの端部において、若しくはそれに隣接して、また互いから比較的遠く離れた少ない位置で、即ち、比較的大きい間隔で）第１及び／又は第２のベルト層４１、４２のみに取り付けられる弾性ストランドと比較して、吸収性物品２０の横断方向に沿って弾性ストランド２００を拡張するのに必要な力の増大がもたらされる。一方、実質的に連続的に取り付けられた弾性ストランドの収縮レベルは、実質的に連続的に取り付けられていない弾性ストランドの収縮レベルとは大幅に異ならない場合がある。
【０１３８】
したがって、第２の複数の弾性ストランド４８に対して、第１の複数の弾性ストランド４６と第３の複数の弾性ストランド４９との間で異なるように、弾性ストランド２００の取り付け方法を選択することによって、低運動ゾーンの外側のゾーンと比較して、低運動ゾーンにおいて所望の特性を提供するためによりテーラーメイドの第１のベルト４０を提供することが可能になる。
【０１３９】
第１及び第２のベルトを備える吸収性物品
上記に加えて、以下は、吸収性物品が、第１及び第２の恒久的サイドシーム５７及び５８によって互いに接合され得る第１及び第２のベルト４０及び６０を含む、本発明のより具体的な実施形態に関する。
【０１４０】
第１のベルト４０は、第１のベルト４０が着用者の臀部を覆うことが意図されるため、第２のベルト６０よりも大きい長手方向寸法を有してもよい。
【０１４１】
このような吸収性物品２０（例えば、パンツ）の第１及び第２のベルト４０及び６０が、例えば、吸収性物品２０をテーブル上に置くことによって、前側及び後側腰部縁部３１及び３２が一致するように重なり合い構成で置かれると、第１のベルト４０の第２のゾーン４４は、完全に、又はより好ましくは第２のベルト６０の第５のゾーン６４と単に部分的に重なり合ってもよい。単に部分的である重なり合いは、第２のゾーン４４が第５のゾーン６４に対して吸収性物品２０の横断方向中心線１１０に向かって更に延在する吸収性物品２０をもたらすことができる。同時に、第５のゾーン６４は、第２のゾーン４４に対して腰部縁部に向かって更に延在してもよい。
【０１４２】
上に説明されるように、及び図９Ｃに示されるように、着用者の解剖学的構造に起因して、一次張力線は、着用者の身体の水平に対して角度α（吸収性物品の横断方向に対する角度）で配設される。したがって、第１のベルト４０の第２のゾーン４４を、第２のベルト６０の第５のゾーン６４と単に部分的に重ね合わせることによって、より好適に着用者の解剖学的構造を考慮した固定システムを提供することができる。
【０１４３】
第１のベルト４０の第２のゾーン４４は、吸収性物品２０の後側腰部縁部３２から第１の距離Ｌ１だけ長手方向にオフセットされてもよく、第２のベルト６０の第５のゾーン６４は、第２の距離Ｌ２だけ前側腰部縁部３１から長手方向にオフセットされてもよく、第２の距離Ｌ２は、第１の距離Ｌ１よりも小さい。第１及び第２の距離は、前側及び後側腰部縁部のそれぞれから、横断中心線から最も遠位の第２及び第５のゾーンそれぞれの弾性ストランドまでの距離として測定される。第１及び第２の距離Ｌ１及びＬ２の正確な寸法は、当然ベルトの全体寸法に依存するため、いくつかの吸収性物品が乳児にフィットするように比較的小さくてもよいが、他の吸収性物品は、成人にフィットする寸法であるため、異なる吸収性物品の間で広く異なり得る。
【０１４４】
第３のゾーン４５は、長手方向寸法において第６のゾーン６５の前側腰部縁部３１からオフセット（＝第４の寸法Ｌ４）未満である後側腰部縁部３２から長手方向にオフセットされた第３の寸法Ｌ３に配置されてもよい。第１及び第２の距離Ｌ１及びＬ２と同様に、第３及び第４の距離Ｌ３及びＬ４の正確な寸法は、当然ベルトの全体寸法に依存するため、いくつかの吸収性物品が乳児にフィットするように比較的小さくてもよいが、他の吸収性物品は、成人にフィットする寸法であるため、異なる吸収性物品の間で広く異なり得る。
【０１４５】
第１のゾーン４３は、第４のゾーン６３よりも大きい長手方向寸法を有してもよい。第２のゾーン４４は、第５のゾーン６４よりも大きい長手方向寸法を有してもよい。第３のゾーン４５は、第６のゾーン６５よりも大きい長手方向寸法を有してもよい。
【０１４６】
第２のゾーン４４の弾性ストランドのうちの一部は、吸収性物品２０の横断方向寸法を横切って断絶されて、不連続な弾性ストランドを形成してもよい。あるいは、第２のゾーン４４の弾性ストランドの全ては、横断方向寸法を横切って断絶されて、不連続な弾性ストランドを形成してもよい。更に、第３のゾーン４５の弾性ストランドのうちの一部又は全てはまた、吸収性物品２０の横断方向寸法を横切って断絶されて、不連続な弾性ストランドを形成してもよい。
【０１４７】
第１のゾーン４３の弾性ストランドは、いずれも断絶されなくてもよい。あるいは、吸収性物品２０の横断方向寸法を横切って第１のゾーン４３のうちのいくつかの弾性ストランドを断絶して、不連続な弾性ストランドを形成することが望ましい場合もある。しかしながら、後側腰部縁部３２に最も近位の第１のゾーン４３の弾性ストランドは、断絶されずに腰部開口部周囲に連続的な弾性を提供する場合がある。
【０１４８】
第１の複数の弾性ストランド４６の弾性ストランドの一部が断絶され、かつ／又は第３の複数の弾性ストランド４９の弾性ストランドの一部若しくは全てが断絶される場合、不連続弾性ストランドの各々は、不連続な弾性ストランドの横断方向に対向する端部に、又はそれに隣接して、第１及び第２のベルト層（のみ）の一方又は両方に取り付けられる。
【０１４９】
第１のベルト４０は、その第１の長手方向ベルト側縁部５５に隣接した第１の横断方向ベルト端部領域７５、その第２の長手方向ベルト側縁部５６に隣接した第２の横断方向ベルト領域７６、及び第１の横断方向ベルト領域７５と第２の横断方向ベルト領域７６との間の第１の中央領域７７を有してもよい。第１のゾーン４３の弾性ストランドの一部、第２のゾーン４４の弾性ストランドの一部若しくは全て、及び／又は第３のゾーン４５の弾性ストランドの一部若しくは全てが断絶される場合、第１の中央領域７７は、それぞれ第１及び第２の横断ベルト端部領域７５及び７６内の第１及び第２のセグメント７９及び８０から、弾性ストランド及び不連続弾性ストランドを含まなくてもよい。第１のベルト４０の第１の中央領域７７は、中央シャーシ２２の吸収性コアと重なり合う領域であってもよい。
【０１５０】
同様に、第２のベルト６０では、第５のゾーン６４の弾性ストランドの一部が、吸収性物品２０の横断方向寸法を横切って断絶されて、不連続な弾性ストランドを形成してもよい。あるいは、第５のゾーン６４の弾性ストランドの全ては、横断方向寸法を横切って断絶されて、不連続な弾性ストランドを形成してもよい。更に、第６のゾーン６５の弾性ストランドの一部又は全てはまた、吸収性物品２０の横断方向寸法を横切って断絶されて、不連続な弾性ストランドを形成してもよい。
【０１５１】
第４のゾーン６３の弾性ストランドは、いずれも断絶されなくてもよい。あるいは、吸収性物品２０の横断方向寸法を横切って第４のゾーン６３のうちのいくつかの弾性ストランドを断絶して、不連続な弾性ストランドを形成することが望ましい場合もある。しかしながら、前側腰部縁部３１に最も近位の第４のゾーン６３の弾性ストランドは、断絶されずに腰部開口部周囲に連続的な弾性を提供する場合がある。
【０１５２】
第４の複数の弾性ストランド６６の弾性ストランドの一部が断絶され、及び／又は第６の複数の弾性ストランド６９の弾性ストランドの一部若しくは全てが断絶される場合、不連続弾性ストランドの各々は、不連続な弾性ストランドの横断方向に対向する端部に、又はそれに隣接して、第３及び第４のベルト層６１、６２（のみ）の一方又は両方に取り付けられる。
【０１５３】
第２のベルト６０は、その第３の長手方向ベルト側縁部８６に隣接した第３の横断方向ベルト端部領域８１、その第４の長手方向ベルト側縁部８７に隣接した第４の横断方向ベルト領域８２、及び第３の横断方向ベルト領域８１と第４の横断方向ベルト領域８２との間の第２の中央領域８３を有してもよい。第４のゾーン６３の弾性ストランドの一部、第５のゾーン６４の弾性ストランドの一部若しくは全て、及び／又は第６のゾーン６５の弾性ストランドの一部若しくは全てが断絶される場合、第２の中央領域８３は、それぞれ第３及び第４の横断ベルト端部領域８１及び８２内の第３及び第４のセグメント８４及び８５から、弾性ストランド及び不連続弾性ストランドを含まなくてもよい。第２のベルト６０の第２の中央領域８３は、中央シャーシ２２の吸収性コアと重なり合う領域であってもよい。
【０１５４】
第１のベルト４０内で実質的に横断方向寸法全体にわたって延在する断絶されていない弾性ストランドの総数は、断絶された弾性ストランドの数より大きくてもよい。
【０１５５】
第２のベルト６０内で実質的に横断方向寸法全体にわたって延在する断絶されていない弾性ストランドの総数は、断絶された弾性ストランドの数より小さくてもよい。吸収性物品が第１及び第２の恒久的サイドシーム５７、５８を有するパンツである場合、第１及び第２のベルト４０及び６０の弾性ストランド２００は、恒久的サイドシームに含まれても含まれなくてもよい。弾性ストランドが恒久的サイドシームに含まれない場合、弾性ストランドは、（物品の横断方向寸法にわたって）第１及び第２のサイドシームに直接隣接するそれらの対向する端部を有してもよい。
【０１５６】
第４、第５、及び第６の複数の弾性ストランド６６、６８、及び６９の弾性ストランドは、互いに異なってもよく、かつ／又は第４、第５、及び第６の複数の弾性ストランドの弾性ストランドは、互いに異なって適用されてもよい。例えば、第４及び第６の複数の弾性ストランドの任意の弾性ストランドは、ａ）弾性ストランドのひずみ、ｂ）隣り合う弾性ストランド間の距離、ｃ）複数の弾性ストランドを形成する弾性ストランドの数、ｄ）弾性ストランドのデニール、又はｅ）ａ）〜ｄ）のうちの２つ以上の組み合わせのうちのいずれかにおいて、第５の複数の弾性ストランドの弾性ストランドとは異なり得る。例として、第４、第５、及び／若しくは第６の複数の弾性ストランドに対して異なる弾性ストランドが提供されてもよく、又は同じ弾性ストランドが、第４、第５、及び第６の複数の弾性ストランドに提供されてもよいが、それぞれの複数の弾性ストランドは、異なる方法で適用されてもよい（即ち、横断方向に対向する端部において又はそれに隣接して第３及び／又は第４のベルト層６１、６２に取り付けられている第４及び第６の複数の弾性ストランド６６及び６９の弾性体、並びに第３及び／又は第４のベルト層６１、６２に、それらの実質的に全長に沿って取り付けられている第５の複数の弾性ストランド６８の弾性体に対する別の追加の方法では異なる）。
【０１５７】
このようにして、第４、第５、及び第６のゾーン６３、６４、及び６５における特性は、更に適合させることができる。例えば、第４及び第６のゾーン６３及び６５は、第５のゾーン６４と比較してより低いひずみを有し得る。それにより、第５のゾーンは、着用者により緊密にフィットするように更に構成することができ、第４及び第６のゾーンは、着用者の動作の自由度を増加させ、皮膚上が赤くなることを低減することができる。
【０１５８】
第４のゾーン６３は、第４の横断方向ピーク伸長力を有してもよく、第５のゾーン６４は、第５の横断方向ピーク伸長力を有してもよく、第６のゾーン６５は、第６の横断方向ピーク伸長力を有してもよい。第５の横断方向ピーク伸長力は、第４及び第６の横断方向ピーク伸長力のうちの一方又は両方より大きくてもよい。第５の横断ピーク伸長力は、第４及び第６の横断ピーク伸長力のうちの一方又は両方より、少なくとも２５％高い、又は少なくとも３０％高い、又は少なくとも４０％高い、又は少なくとも５０％高い場合がある。第５のピーク伸長力は、第４及び第６の横断方向ピーク伸長力のうちの一方又は両方よりも２００％超、又は１５０％超、又は１００％超でなくてもよい。
【０１５９】
同時に、第４及び第６のゾーン６３及び６５の横断方向の収縮レベルと、２５０％、又は２００％、又は１５０％を超えては異ならない第５のゾーン６４の横断方向の収縮レベルを有することが望ましい場合がある。
【０１６０】
これは、第５の複数の弾性ストランドを、弾性ストランドの実質的に全長に沿って、第３及び第４のベルト層の一方又は両方に取り付ける間に、第４及び第６の複数の弾性ストランドの弾性ストランドを、横断方向に対向する端部において又はそれに隣接して、第３及び第４のベルト層（のみ）の一方又は両方に取り付けること、又は第４及び第６の複数の弾性ストランドの弾性ストランドを、横断方向に対向する端部において又はそれに隣接して、また（弾性ストランドが弛緩した収縮状態にあるときに測定された）弾性ストランドの横断方向の全伸長の少なくとも１０％、又は少なくとも２０％の間隔で、第３及び第４のベルト層（のみ）の一方又は両方に取り付けることによって達成され得る。
【０１６１】
更に改善されたフィット性のために、第５のゾーン６４と第６のゾーン６５との境界は、吸収性物品１００の横断方向中心線１１０から約５５％〜７０％、又は約５５％〜６５％の距離で設けられてもよく、１００％は、横断方向中心線１１０から前側腰部縁部３１まで延在する前側領域全体である。これは、第５のゾーン６４を着用者の低運動区域内に位置付けることを更に助けることができる。
【０１６２】
第２のゾーン４４と第３のゾーン４５との間の境界は、横断方向中心線１１０から第５のゾーン６４と第６のゾーン６５との間の境界までの距離よりも、横断方向中心線１１０からより大きな距離で設けられてもよい。第２のゾーン４４と第３のゾーン４５との間の境界は、吸収性物品２０の横断方向中心線１１０から６０％〜８０％の距離で設けられてもよく、１００％は、横断方向中心線１１０から後側腰部縁部３２まで延在する後側領域全体である。
【０１６３】
横断方向中心線１１０は、吸収性物品２０を、等しい長さ、即ち等しい長手方向寸法の前側領域及び後側領域に概念的に分割する。したがって、横断方向中心線１１０から前側腰部縁部３１までの距離は、横断方向中心線１１０から後側腰部縁部３２までの距離と同じである。
【０１６４】
第１及び第２のベルト４０及び６０は、股部領域３７で互いに不連続であってもよい。したがって、第１のベルトも第２のベルトも、身体に面する表面の全体を覆わなくてもよく、第１のベルトも第２のベルトも、吸収性物品２０の衣類に面する表面の全体を覆わなくてもよい。
【０１６５】
締着システム
吸収性物品２０はまた、締着システム１４０を含んでもよい。締着されると、締着システム１４０は、前側腰部領域３６と後側腰部領域３８とを相互連結し、吸収性物品２０の着用中に着用者を取り囲む腰部開口部を提供する胴囲をもたらす。これは、前側腰部領域の中央シャーシと相互連結する後方腰部領域の第１のベルトによって（吸収性物品が第２のベルトを備えない場合）、又は前側腰部領域の第２のベルトと相互接続する第１のベルトによって達成されてもよい。締着システム１４０は、恒久的な第１及び第２のサイドシーム５７及び５８を有さないおむつである、吸収性物品に設けられてもよい。あるいは、締着システム１４０は、第１及び第２の恒久的サイドシーム５７及び５８に加えて、パンツである吸収性物品に設けられて、腰部開口部の更なる調整を容易にし、かつ／あるいは、例えばパンツの汚れの可能性を検査するときにサイドシームの一方若しくは両方を破いて開けた場合、パンツを再締着することを可能にすることができる。
【０１６６】
締着システム１４０は、フックとループとの締着構成要素などの締着具、タブとスロット、バックル、ボタン、スナップ、及び／又は雌雄同体締着構成要素などの相互係合締着具を含んでもよいが、任意の他の既知の締着手段も、概ね許容可能である。いくつかの例示的な表面締着システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的な係合締着システムは、米国特許第６，４３２，０９８号に開示されている。締着システム５０はまた、米国特許第４，９６３，１４０号に開示の使い捨ての構成に物品を保持するための手段を提供してもよい。締着システム１４０はまた、米国特許第４，６９９，６２２号に開示の一次及び二次締着システムを含んでもよい。締着システム１４０は、米国特許第５，２４２，４３６号、同第５，４９９，９７８号、同第５，５０７，７３６号、及び同第５，５９１，１５２号に開示のように、重なり合った部分の偏位を低減するか、又はフィット性を改善するように構成されてもよい。締着タブは、第１のベルトの第１及び第２の長手方向ベルト側縁部に取り付けられてもよい。それらは、第１及び第２の長手方向ベルト側縁部を越えて横断方向外側に延在するように構成されてもよい。締着タブ（例えば、フック、接着剤など）の係合材料は、第１及び第２の長手方向ベルト側縁部を越えて横断方向外側に延在する締着タブの一部分上に設けられてもよい。締着タブは、吸収性物品の使用前に折り畳まれて、（例えば、吸収性物品の製造中、又は吸収性物品を着用者に適用する前にパッケージから取り出すとき）、吸収性物品の意図しない部分に係合しないように係合材料を保持することができる。折り畳まれたとき、係合材料は、フィルム、ポリマー層、又は非粘着性接着層などの、第１及び第２の長手方向ベルト側縁部に隣接した第１のベルトによって構成される非係合表面と接触してもよい。パッケージから取り出されると、締着具タブは広げられ、ループ材料のパッチ（多くの場合、中央シャーシの前側腰部領域又は第２のベルト上）などのランディングゾーンと係合してもよい。
【０１６７】
パッケージ
本開示の吸収性物品はパッケージに入れられてもよい。パッケージは、高分子フィルム及び／又は他の材料を備えることができる。吸収性物品の特性に関する図形及び／又は目印は、パッケージの外側部分に形成され、印刷され、位置付けられ、及び／又は配置されてもよい。それぞれのパッケージは、複数の吸収性物品を含んでもよい。吸収性物品は、１パッケージ当たり妥当な量の吸収性物品を依然として提供しながら、パッケージのサイズを低減するように圧縮下で包装されてもよい。吸収性物品を圧縮下で包装することによって、介護者は、パッケージを容易に扱い、保管することができると共に、パッケージのサイズによる流通コストの削減を製造業者にもたらすことができる。
【０１６８】
したがって、本明細書に記載されているバッグ内スタック高さテストによると、本開示の吸収性物品のパッケージは、約１００ｍｍ未満、約９５ｍｍ未満、約９０ｍｍ未満、約８５ｍｍ未満、約８５ｍｍ未満ただし約７５ｍｍ超、約８０ｍｍ未満、約７８ｍｍ未満、約７６ｍｍ未満、又は約７４ｍｍ未満であり、具体的には、特定の範囲内及びその中又はそれによって形成された全ての範囲内において全て０．１ｍｍの増分である、バッグ内スタック高さを有し得る。あるいは、本明細書に記載されているバッグ内スタック高さテストによると、本開示の吸収性物品のパッケージは、約７０ｍｍ〜約１１０ｍｍ、約７０ｍｍ〜約９５ｍｍ、約７２ｍｍ〜約８５ｍｍ、約７２ｍｍ〜約８０ｍｍ、又は約７４ｍｍ〜約７８ｍｍであり、具体的には、特定の範囲内及びその中又はそれによって形成された全ての範囲内において全て０．１ｍｍ刻みの値を含む、バッグ内スタック高さを有し得る。
【０１６９】
図１０は、複数の吸収性物品１００４を含む例示的なパッケージ１０００を示す。パッケージ１０００は、複数の吸収性物品１００４が置かれる内部空間１００２を画定している。複数の吸収性物品１００４は、１つ以上の積み重ね１００６として配置されている。
【０１７０】
試験法
横断方向ピーク伸長力
試験装置／環境
ＭＴＳ  Ｔｅｓｔｗｏｒｋｓ  ｖｅｒｓｉｏｎ  ４．０のＭＴＳ  Ａｌｌｉａｎｃｅ又は同等の計器などの、好適な引張試験器が使用される。試験器は、試料の少なくとも全幅を保持することが可能なフラットクランプを備えるものを使用するべきである。計器は、製造者の仕様書に従って較正する。試験は、２３℃±２℃、及び相対湿度５０％±２％で実施する。
【０１７１】
試料の調製
吸収性物品が第１及び第２のベルト間に恒久的なサイドシームを有するパンツである場合、物品のサイドシームを破いてベルトを分離する。（本発明の実施するための形態に記載の）それぞれのゾーンを、測定されるそれぞれのベルト（それぞれのベルトゾーンと重なり合う場合、中央シャーシ構成要素を含む）から切り取る。それぞれのベルトの分離された各ゾーンは、本明細書では「試験試料」と呼ばれる。存在する場合、中央シャーシ構成要素を含む全ての材料層は、試験試料で保持するべきである。全てのカット線は、直線で、吸収性物品の横断方向に平行である。各試験試料は、少なくとも１つのエラストマー材を有する必要がある。それぞれのゾーンの幅（吸収性物品の長手方向の寸法）を測定する。
【０１７２】
試験試料の長さを決定する。長さは、吸収性物品の横断方向に対応する方向に対応し、完全に伸張された状態の試験試料の一方の端部から他方の端部までの距離を示す。完全に伸張した状態は、試験試料が、０．１Ｎ／ｍｍに試験試料の幅を掛けた力によって伸張した状態である。試験試料の一方又は両方の末端部が長手方向に平行でない場合、試験試料内の最短の長さを試験試料の長さと見なす。
【０１７３】
調整された試験試料の長さは、試験試料の長さから上側及び下側クランプの任意の材料の長さの組み合わせを引いたものとして定義する。したがって、各端部において１０ｍｍをクランプで保持できるように試験試料をクランプに固定する場合、調整したベルトの長さは、測定したベルトの長さから２０ｍｍを引いたものである。
【０１７４】
試験試料は、試験前に少なくとも１０分間伸張していない状態を保つ。
【０１７５】
試験
各試験試料に対し、引張試験機の初期標点距離を設定して、試験試料を緩和状態で固定することができる。ロードセルはゼロになって試料重量をオフセットする。
【０１７６】
試験試料は、２５４ｍｍ／分の速度で吸収性物品の横断方向に伸張し、ロード（Ｎ）は、試験試料が調整された試験試料の長さの６５％に達した後５秒以内に測定する。力ゾーンの各々の横断方向ピーク伸長力は、次の等式に従って計算する。
試験試料の横断方向ピーク伸長力（Ｎ／ｍｍ）＝測定値（Ｎ）／力ゾーンの幅（ｍｍ）
【０１７７】
収縮レベル
ａ）物品全体力測定法
ＴｅｓｔＷｏｒｋｓ  ４  Ｓｏｆｔｗａｒｅ（ＭＴＳ  ＳＹＳＴＥＭＳ（ＣＨＩＮＡ）ＣＯ．，ＬＴＤから入手可能）を実行するＭＴＳ  Ｃｒｉｔｅｒｉｏｎ  Ｃ４２などのコンピュータインターフェースを備えた電子引張試験機、又は同等の機器を使用して、力を測定する。試験される試料に対する力が、使用するロードセルの能力の１０〜９０％になるように、ロードセルを選択する。製造業者の指示書に従って計器を較正する。全ての試験は、２３℃±２℃、及び５０％±２％の相対湿度に維持した室内で実施する。
【０１７８】
引張試験機に、図１１に示されるような、ハンガー型の試料保持固定具３００を装着する。各固定具は、試験中に試料が滑るのを防ぐために、剛性で直線状の、ゴムでコーティングされた水平バー部分３０２を備える。水平バー部分のバーの外径（ゴムコーティングを含む）は１０．０ｍｍである。水平バー部分３０２の中央軸線は、全テスト過程を通して平行で同一鉛直面内に保たれるように構成されている。基準周長は、次式によって決定される。
基準周長＝２×（Ｈ＋Ｄ＋πＤ／２）
式中、Ｈは水平バー部分３０２間の垂直方向ギャップ、Ｄはバーの外径である。
【０１７９】
機器は、以下の工程をこなすように設定される。
【０１８０】
【表１】
2020519349.tif 000003
【０１８１】
バーが物品の腰部開口部及び一方の脚部開口部を通るように、試料物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を伸張させずに下側のバー３０２を腰部開口部及び他方の脚部開口部に挿通させることができるように、クロスヘッドを下降させる。物品の長手方向中心線１００が上側及び下側のバー３０２の真ん中で水平面内にあるように物品を調整する。バー３０２と接触している側部部分の中心が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、１９．６Ｎの力が得られるまでクロスヘッドを２５４ｍｍ／分で上に移動させ、次いで同じ速度でクロスヘッドをすぐに初期基準周長に戻す。１９．６Ｎでの最大周長、及び試験の伸長セグメント中に７０％伸張時周長になる力を記録する。
周長（ｍｍ）＝２×（Ｈ＋Ｄ＋πＤ／２）
【０１８２】
１９．６Ｎでの最大周長が全伸張時周長（ｍｍ）として定義される。７０％伸張時時周長は、全伸張時周長×０．７として定義される。腰部周囲力は、試験の負荷（延長）セグメント中に７０％伸張時周長になったときの力として定義される。
【０１８３】
５つの試料を分析し、それらの平均初期基準周長、平均全伸張時周長、及び平均腰部周囲力を計算し、それぞれ、１ｍｍ、１ｍｍ、０．０１Ｎ単位で報告する。
【０１８４】
ｂ）ゾーン横断方向寸法の測定
試料に物品全体力測定試験に施した後、試料を調製し、以下のように処理する。
【０１８５】
試験装置／環境
ＭＴＳ  Ｔｅｓｔｗｏｒｋｓ  ｖｅｒｓｉｏｎ  ４．０のＭＴＳ  Ａｌｌｉａｎｃｅ又は同等の計器などの、好適な引張試験器が使用される。試験器は、試料の少なくとも全幅を保持することが可能なフラットクランプを備える。計器は、製造者の仕様書に従って較正する。試験は、２３℃±２℃、及び相対湿度５０％±２％で実施する。
【０１８６】
試料の調製
吸収性物品が第１及び第２のベルト間に恒久的なサイドシームを有するパンツである場合、物品のサイドシームを破いてベルトを分離する。（本発明の実施するための形態に記載の）それぞれのゾーンを、測定されるそれぞれのベルト（それぞれのベルトゾーンと重なり合う場合、中央シャーシ構成要素を含む）から切り取る。存在する場合、中央シャーシ構成要素を含む全ての材料層は、試験試料（すなわち切り取ったゾーン）で保持するべきである。全てのカット線は、直線で、吸収性物品の横断方向に平行である。各試験試料は、少なくとも１つのエラストマー材を有する必要がある。それぞれの領域の幅（吸収性物品の長手方向の寸法）を測定する。
【０１８７】
試験試料の長さを決定する。長さは、吸収性物品の横断方向に、完全に伸張した状態の試験試料の一方の末端部から他方の末端部までの距離を示す。完全に伸張した状態は、試験試料が、０．１Ｎ／ｍｍに試験試料の幅を掛けた力によって伸張した状態である。試験試料の一方又は両方の末端部が長手方向に平行でない場合、試験試料内の最短の長さを試験試料の長さと見なす。
【０１８８】
調整された試験試料の長さは、試験試料の長さ引く上側及び下側の任意の材料の長さの組み合わせとして定義する。したがって、各端部において１０ｍｍをクランプで保持できるように試験試料をクランプに固定する場合、調整したベルトの長さは、測定したベルトの長さから２０ｍｍを引いたものである。
【０１８９】
各試験試料に対し、引張試験機の初期標点距離を設定して、試験試料を緩和状態で固定することができる。ロードセルはゼロになって試料重量をオフセットする。
【０１９０】
試験試料は、吸収性物品の横断方向に対応する方向で試験試料に適用される０．５Ｎの力を適用することによって、吸収性物品の横断方向に伸張される。試験試料の長さ（吸収性物品内のそれぞれのゾーンの横断方向寸法に対応する）は、引張試験機のクランプ間に含まれる２０ｍｍを考慮して測定される。
【０１９１】
次いで、収縮レベルを、以下のように計算する。
（それぞれのゾーンの試験試料の長さ＠０．５Ｎ×１００）／（１９．６Ｎ＊）での最大周長の１／２）
＊）物品全体力測定から得られた最大周長
【０１９２】
バッグ内積み重ね高さ試験
吸収性物品のパッケージのバッグ内積み重ね高さは、以下のとおりに決定する。
【０１９３】
機器
平坦な剛性の水平スライディングプレートを備えた厚さテスタが使用される。厚さテスタは、水平スライディングプレートが平坦な剛性の水平ベースプレートのすぐ上で水平の向きに常に維持された状態で、水平スライディングプレートが垂直方向に自由に移動するように構成される。厚さテスタは、水平スライディングプレートと水平ベースプレートとの間の間隙を±０．５ｍｍ以内で測定するのに好適なデバイスを含む。水平スライディングプレート及び水平ベースプレートは、各プレートと接触する吸収性物品パッケージの表面よりも大きい（即ち、全ての方向で各プレートは吸収性物品パッケージの接触表面を越えて延在する）。水平スライディングプレートは、吸収性物品パッケージに下方への力８５０±１重量グラム（８．３４Ｎ）を加えるが、これは、スライディングプレートの合計質量に付加重量を足して８５０±１グラムとなるように、水平スライディングプレートのパッケージに接触しない上面の中央に好適な重しを置くことによって達成し得る。
【０１９４】
試験手順
吸収性物品パッケージを、測定前に、２３±２℃及び５０±５％の相対湿度で平衡化する。
【０１９５】
水平スライディングプレートを上げ、パッケージ内の吸収性物品が水平に配向されるような方式で、吸収性物品パッケージを水平スライディングプレート下で中心に置く（図１０を参照）。プレートのいずれかに接触するであろうパッケージの表面上にある任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同一パッケージ（同じサイズのパッケージ及び同じ吸収性物品数）を測定し、算術平均をパッケージ幅として報告する。「バッグ内積み重ね高さ」＝（パッケージ幅／積み重ね当たりの吸収性物品数）×１０を計算し、±０．５ｍｍ以内で報告する。
【０１９６】
「発明を実施するための形態」の中で引用される文献は全て、関連部分において参照により本明細書に組み込まれる。いかなる文献の引用も、それが本発明に対する先行技術であることを認めるものとして解釈されるべきではない。この文書における用語のいずれかの定義又は意味が、参考として組み込まれた文献における用語のいずれかの定義又は意味と相反する範囲においては、本文書におけるその用語に与えられた定義又は意味が適用されるものとする。
【０１９７】
本発明の特定の実施形態を例示及び説明してきたが、本発明の趣旨及び範囲から逸脱することなく他の様々な変更及び修正を行うことができる点は当業者には明白であろう。実施形態及び特徴の組み合わせが可能であり、またこれにより、本発明の範囲内で実行できることは明らかである。したがって、本発明の範囲内に含まれるそのような全ての変更及び修正は、添付の特許請求の範囲にて網羅することを意図したものである。
【０１９８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【０１９９】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０２００】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020519349.tif 000004
【図２】
2020519349.tif 000005
【図３】
2020519349.tif 000006
【図４】
2020519349.tif 000007
【図５】
2020519349.tif 000008
【図６】
2020519349.tif 000009
【図７】
2020519349.tif 000010
【図８】
2020519349.tif 000011
【図９Ａ】
2020519349.tif 000012
【図９Ｂ】
2020519349.tif 000013
【図９Ｃ】
2020519349.tif 000014
【図１０】
2020519349.tif 000015
【図１１】
2020519349.tif 000016
【国際調査報告】
2020519349.tif 000017
2020519349.tif 000018